(57)【要約】【課題】  自分が遊技中の機種に関する自身の遊技履歴による会員となっている各遊技場の遊技履歴を簡便に把握可能とすること。【解決手段】  送信要求送信手段３３４を備える遊技用装置３と、遊技履歴情報記憶手段１２５と、遊技履歴情報送信手段１２２、１２９と、を備える遊技場内管理装置１２０と、場外遊技履歴情報記憶手段１４５と、会員属性情報記憶手段１４５と、機種特定手段１４２と、会員遊技者が会員となっている他の遊技場の会員識別情報を特定する他遊技場会員識別情報特定手段１４２と、該特定された他遊技場並びに遊技中の遊技場における前記機種特定手段にて特定された機種の遊技履歴を各遊技場別に抽出する同一機種遊技履歴抽出手段１４２と、該抽出した各遊技場別の遊技場別遊技履歴情報を送信するための遊技場別遊技履歴情報送信手段１４２、１４８と、を備える遊技場外管理装置１４０とを備え、前記遊技用装置３は、該送信される遊技場別履歴情報を表示する遊技場別遊技履歴情報表示手段３２８，３１２を備える。【選択図】  図１５
2005253695.tif 000002
【特許請求の範囲】
【請求項１】
遊技場内に設置された遊技機に対応して設けられ、
当該遊技場のみで使用され、各会員遊技者を個々に識別可能な会員識別情報が記録された会員用記録媒体を受付けて当該会員用記録媒体に記録されている会員識別情報を読み出す読み出し手段と、
該読み出し手段にて読み出した前記会員識別情報と、前記対応する遊技機の機種を特定可能な機種特定情報と、該会員識別情報が記録されている会員用記録媒体を受付けている間の当該遊技機において遊技に関連して発生した遊技関連情報とを送信するための送信手段と、
前記読み出し手段により前記受付け中の会員用記録媒体から読み出した会員識別情報を特定可能な会員識別情報特定情報と、前記機種特定情報とを含む遊技履歴情報送信要求を送信する送信要求送信手段と、
を備える遊技用装置と、
遊技場内に設置され、
前記送信手段から送信される前記会員識別情報に対応付けて、該会員識別情報とともに送信される前記機種特定情報から特定される機種を特定可能な情報並びに前記遊技関連情報を含む遊技履歴情報を記憶するための遊技履歴情報記憶手段と、
該遊技履歴情報記憶手段に記憶されている遊技履歴情報を、該遊技履歴情報に対応付けて記憶されている前記会員識別情報とともに送信する遊技履歴情報送信手段と、
を備える遊技場内管理装置と、
遊技場外に設置され、
複数の各遊技場に設置された前記遊技場内管理装置とデータ通信可能に接続され、
前記遊技履歴情報送信手段から送信される前記会員識別情報並びに前記遊技履歴情報とを対応付けて記憶するための場外遊技履歴情報記憶手段と、
各遊技場における各会員遊技者の会員属性情報と、当該会員遊技者の前記会員識別情報とを対応付けて記憶するための会員属性情報記憶手段と、
前記送信要求送信手段から送信される遊技履歴情報送信要求に含まれる機種特定情報から遊技機の機種を特定する機種特定手段と、
前記送信要求送信手段から送信される遊技履歴情報送信要求に含まれる会員識別情報特定情報から特定される会員識別情報に対応付けて前記会員属性情報記憶手段に記憶されている会員属性情報を特定し、前記遊技履歴情報送信要求に含まれる会員識別情報特定情報から特定される会員識別情報以外の会員識別情報の内、該特定した会員属性情報と同一の会員属性情報を含む会員属性情報を特定し、該特定した会員属性情報に対応付けて該会員属性情報記憶手段に記憶されている会員識別情報を全て特定する他遊技場会員識別情報特定手段と、
前記送信要求送信手段から送信される遊技履歴情報送信要求に含まれる会員識別情報特定情報から特定される会員識別情報並びに前記他遊技場会員識別情報特定手段にて特定された全ての会員識別情報に対応付けて前記場外遊技履歴情報記憶手段に記憶されている遊技履歴情報の内、前記機種特定手段にて特定された機種を特定可能な情報を含む遊技履歴情報を、各遊技場別に抽出する同一機種遊技履歴抽出手段と、
該同一機種遊技履歴抽出手段にて各遊技場別に抽出された遊技履歴情報を、前記遊技履歴情報送信要求を送信してきた遊技用装置に対して送信するための遊技場別遊技履歴情報送信手段と、
を備える遊技場外管理装置と、
を有し、
前記遊技用装置は、前記遊技場別遊技履歴情報送信手段から送信される遊技場別遊技履歴情報を、該遊技用装置が対応する遊技機の機種と同一機種における当該会員遊技者の会員となっている各遊技場における遊技場別遊技履歴情報として表示する遊技場別遊技履歴情報表示手段を備えることを特徴とする遊技用システム。
【請求項２】
前記遊技場外管理装置は、前記遊技履歴情報送信要求の受信に基づいて前記他遊技場会員識別情報特定手段にて特定された会員識別情報に対応する遊技場を特定可能な遊技場特定情報を、該遊技履歴情報送信要求を送信してきた遊技用装置に対して送信するための遊技場特定情報送信手段を備え、
前記遊技用装置は、
前記遊技場特定情報送信手段から送信される遊技場特定情報から特定される全ての遊技場を会員遊技者が選択可能に表示して、該会員遊技者が前記遊技場別遊技履歴情報を表示させたい遊技場の指定を受付ける遊技場指定受付け手段と、
該遊技場指定受付け手段にて受付けた遊技場の遊技場特定情報を含む指定遊技場情報を前記遊技場外管理装置に送信するための指定遊技場情報送信手段と、
を備え、
前記同一機種遊技履歴抽出手段は、前記指定遊技場情報送信手段から送信された指定遊技場情報に含まれる遊技場特定情報から特定される遊技場における前記他遊技場会員識別情報特定手段にて特定された会員識別情報に対応付けて前記場外遊技履歴情報記憶手段に記憶されている遊技履歴情報の内、前記機種特定手段にて特定された機種を特定可能な情報を含む遊技履歴情報を抽出することを特徴とする請求項１に記載の遊技用システム。
【請求項３】
前記遊技場外管理装置は、前記遊技履歴情報送信要求に含まれる会員識別情報特定情報から特定される会員識別情報並びに該遊技履歴情報送信要求の受信に基づいて前記他遊技場会員識別情報特定手段にて特定された全ての会員識別情報に対応付けて前記場外遊技履歴情報記憶手段に記憶されている遊技履歴情報を抽出する遊技履歴抽出手段と、
該遊技履歴抽出手段にて抽出された遊技履歴情報に基づいて、前記遊技履歴情報送信要求を送信した遊技用装置を備える当該会員遊技者が遊技中の遊技場を含む各遊技場における各機種毎の当該会員遊技者の遊技成績を算出する遊技成績算出手段と、
該遊技成績算出手段にて算出された同じ機種に関する遊技成績の内、当該会員遊技者が遊技中の遊技場における遊技成績と、その他の遊技場における遊技成績との比較に基づいて、該会員遊技者が遊技中の遊技場における遊技成績がその他の遊技場における遊技成績よりも良い機種を特定する好成績機種特定手段と、
該好成績機種特定手段にて特定された機種を特定可能な機種特定情報を含む好成績機種情報を、前記遊技履歴情報送信要求を送信してきた遊技用装置に対して送信するための好成績機種情報送信手段と、
を備え、
前記遊技用装置は、前記好成績機種情報送信手段から送信される好成績機種情報に含まれる機種特定情報から特定される機種を、好成績の機種として表示する好成績機種表示手段を備えることを特徴とする請求項１または２に記載の遊技用システム。
【請求項４】
前記遊技場外管理装置は、前記遊技成績算出手段により算出された各遊技場における各機種毎の遊技成績の内、該会員遊技者が遊技中の遊技場における前記機種特定手段により特定された機種の遊技成績と、その他の遊技場における前記機種特定手段により特定された機種の遊技成績とを比較して、該会員遊技者が遊技中の遊技場における遊技成績がその他の遊技場における遊技成績よりも良いか否かを判定する判定手段を備え、
前記好成績機種特定手段は、前記判定手段における判定結果が、該会員遊技者が遊技中の遊技場における遊技成績がその他の遊技場における遊技成績よりも悪いとの判定結果であることを条件に、該会員遊技者が遊技中の遊技場における遊技成績がその他の遊技場における遊技成績よりも良い機種を特定することを特徴とする請求項３に記載の遊技用システム。
【請求項５】
前記遊技履歴情報記憶手段に記憶されている遊技履歴情報は、前記会員遊技者が遊技した遊技機の機種における遊技頻度を特定可能な情報を含み、
前記遊技場外管理装置は、
各機種を特定可能な情報と当該機種の属性情報とを対応付けて記憶するための機種属性情報記憶手段と、
前記機種特定手段にて特定された機種の遊技履歴情報に代えて、他機種の遊技履歴情報を代用する遊技頻度に関する閾値条件を設定するための設定手段と、
前記遊技履歴情報送信要求に含まれる会員識別情報特定情報から特定される会員識別情報と、該遊技履歴情報送信要求の受信に基づいて前記他遊技場会員識別情報特定手段にて特定された会員識別情報、並びに前記遊技履歴情報記憶手段に記憶されている遊技履歴情報とに基づいて、前記機種特定手段にて特定された機種における、各遊技場毎の遊技頻度を特定する遊技頻度特定手段と、
該遊技頻度特定手段にて特定された各遊技場毎の遊技頻度が、前記設定手段にて設定された閾値条件に満たないときに、前記機種特定手段にて特定された当該機種に対応付けて前記機種属性情報記憶手段に記憶されている属性情報に含まれる情報と同一の情報を含む属性情報に対応付けて記憶されている他機種の内、当該遊技場における遊技頻度が前記閾値条件を満たす機種を特定する代用機種特定手段と、
を備え、
前記同一機種遊技履歴抽出手段は、前記機種特定手段にて特定された機種の遊技履歴情報に代えて、前記代用機種特定手段にて特定された機種を特定可能な情報を含む遊技履歴情報を抽出することを特徴とする請求項１〜４のいずれかに記載の遊技用システム。
【請求項６】
前記遊技場内管理装置は、各会員遊技者の会員属性情報を入力するための会員属性情報入力手段と、該会員属性情報入力手段から入力された該会員属性情報と、当該会員遊技者の会員識別情報とを対応付けて前記遊技場外管理装置に送信する会員属性情報送信手段とを備え、
前記遊技場外管理装置は、前記会員属性情報送信手段から送信された会員識別情報と前記会員属性情報とを対応付けて前記会員属性情報記憶手段に記憶することを特徴とする請求項１〜５のいずれかに記載の遊技用システム。
【請求項７】
前記遊技場外管理装置は、前記遊技履歴情報送信手段から新たな遊技履歴情報を送信する旨の更新遊技履歴情報送信要求を受信するための更新送信要求受信手段を備え、該更新送信要求受信手段にて前記更新遊技履歴情報送信要求の受信後において前記遊技履歴情報送信手段から送信される遊技履歴情報と会員識別情報とに基づいて、該受信した会員識別情報に対応付けて前記場外遊技履歴情報記憶手段に記憶されている遊技履歴情報を更新することを特徴とする請求項１〜６のいずれかに記載の遊技用システム。
【発明の詳細な説明】
【技術分野】
【０００１】
本発明は、遊技場において会員登録した会員遊技者が、遊技場に来場した際に、自分が遊技している台の機種における遊技履歴の情報を、当該遊技場のみではなく、当該会員遊技者が会員となっているその他の遊技場に設置されている当該機種での遊技履歴を含めた統合された履歴データを確認することのできる遊技用システムに関する。
【背景技術】
【０００２】
従来、会員遊技者が遊技場に来場した際に、自分が遊技している台の機種における遊技履歴の情報を確認できるシステムとしては、遊技場内に各会員遊技者が遊技した遊技台の機種情報を含む遊技履歴を、各会員遊技者の会員ＩＤに対応付けて記憶・管理する管理装置を設置しておき、該記憶している遊技履歴から、当該会員遊技者が遊技している遊技機の台番号から特定される機種の各台のデータを抽出し、当該機種における機種トータルデータを生成して表示するものがある。（例えば、特許文献１参照）。
【０００３】
【特許文献１】特開２００３−２３６２１４号公報（第４頁、第１７図）
【発明の開示】
【発明が解決しようとする課題】
【０００４】
このように、機種トータルデータを表示することは、会員遊技者が、自身が遊技を実施している機種における自分の遊技履歴に基づいた機種トータルデータを簡便に把握でき、会員遊技者の利便性を向上できるが、近年にあっては、遊技者は複数の遊技場において会員となっている場合が多く、そのため、これら会員となっている各遊技場において、お気に入りの同一機種を遊技する状況が多くあるが、前記した従来のシステムでは、会員遊技者は、来場している当該遊技場における自分の遊技履歴に基づいた当該機種の機種トータルデータを把握することはできるが、自分が会員となっているその他の遊技場における自身が遊技を実施している機種と同一機種の機種トータルデータを把握することができないという問題があった。
【０００５】
本発明は、このような問題点に着目してなされたもので、会員遊技者が、自身が会員となっているその他の遊技場における、自身が遊技を実施している機種での自身の遊技履歴を簡便に把握することのできる遊技用システムを提供することを目的とする。
【課題を解決するための手段】
【０００６】
上記課題を解決するために、本発明の請求項１に記載の遊技用システムは、
遊技場内に設置された遊技機に対応して設けられ、
当該遊技場のみで使用され、各会員遊技者を個々に識別可能な会員識別情報が記録された会員用記録媒体を受付けて当該会員用記録媒体に記録されている会員識別情報を読み出す読み出し手段と、
該読み出し手段にて読み出した前記会員識別情報と、前記対応する遊技機の機種を特定可能な機種特定情報と、該会員識別情報が記録されている会員用記録媒体を受付けている間の当該遊技機において遊技に関連して発生した遊技関連情報とを送信するための送信手段と、
前記読み出し手段により前記受付け中の会員用記録媒体から読み出した会員識別情報を特定可能な会員識別情報特定情報と、前記機種特定情報とを含む遊技履歴情報送信要求を送信する送信要求送信手段と、
を備える遊技用装置と、
遊技場内に設置され、
前記送信手段から送信される前記会員識別情報に対応付けて、該会員識別情報とともに送信される前記機種特定情報から特定される機種を特定可能な情報並びに前記遊技関連情報を含む遊技履歴情報を記憶するための遊技履歴情報記憶手段と、
該遊技履歴情報記憶手段に記憶されている遊技履歴情報を、該遊技履歴情報に対応付けて記憶されている前記会員識別情報とともに送信する遊技履歴情報送信手段と、
を備える遊技場内管理装置と、
遊技場外に設置され、
複数の各遊技場に設置された前記遊技場内管理装置とデータ通信可能に接続され、
前記遊技履歴情報送信手段から送信される前記会員識別情報並びに前記遊技履歴情報とを対応付けて記憶するための場外遊技履歴情報記憶手段と、
各遊技場における各会員遊技者の会員属性情報と、当該会員遊技者の前記会員識別情報とを対応付けて記憶するための会員属性情報記憶手段と、
前記送信要求送信手段から送信される遊技履歴情報送信要求に含まれる機種特定情報から遊技機の機種を特定する機種特定手段と、
前記送信要求送信手段から送信される遊技履歴情報送信要求に含まれる会員識別情報特定情報から特定される会員識別情報に対応付けて前記会員属性情報記憶手段に記憶されている会員属性情報を特定し、前記遊技履歴情報送信要求に含まれる会員識別情報特定情報から特定される会員識別情報以外の会員識別情報の内、該特定した会員属性情報と同一の会員属性情報を含む会員属性情報を特定し、該特定した会員属性情報に対応付けて該会員属性情報記憶手段に記憶されている会員識別情報を全て特定する他遊技場会員識別情報特定手段と、
前記送信要求送信手段から送信される遊技履歴情報送信要求に含まれる会員識別情報特定情報から特定される会員識別情報並びに前記他遊技場会員識別情報特定手段にて特定された全ての会員識別情報に対応付けて前記場外遊技履歴情報記憶手段に記憶されている遊技履歴情報の内、前記機種特定手段にて特定された機種を特定可能な情報を含む遊技履歴情報を、各遊技場別に抽出する同一機種遊技履歴抽出手段と、
該同一機種遊技履歴抽出手段にて各遊技場別に抽出された遊技履歴情報を、前記遊技履歴情報送信要求を送信してきた遊技用装置に対して送信するための遊技場別遊技履歴情報送信手段と、
を備える遊技場外管理装置と、
を有し、
前記遊技用装置は、前記遊技場別遊技履歴情報送信手段から送信される遊技場別遊技履歴情報を、該遊技用装置が対応する遊技機の機種と同一機種における当該会員遊技者の会員となっている各遊技場における遊技場別遊技履歴情報として表示する遊技場別遊技履歴情報表示手段を備えることを特徴としている。
この特徴によれば、前記場外遊技履歴情報記憶手段に各会員遊技者が各遊技場において遊技した遊技履歴情報が各遊技場における会員識別情報に対応付けて記憶、管理され、これら記憶されている遊技履歴情報から、前記機種特定情報から特定される当該会員遊技者の会員用記録媒体を受付け中の遊技用装置が対応する遊技機、つまりは、自身が遊技を実施している遊技機の機種と同一の機種における遊技履歴情報が各遊技場別に抽出され、該抽出された各遊技場別の遊技履歴情報が遊技用装置に送信されて表示されるようになるため、会員遊技者は、遊技を行いながら自身が会員となっている全ての遊技場の、自身が遊技を実施している遊技機の機種における自身の遊技履歴を、各遊技場別に簡便に把握することができ、遊技者の利便性を向上できる。
【０００７】
本発明の請求項２に記載の遊技用システムは、請求項１に記載の遊技用システムであって、
前記遊技場外管理装置は、前記遊技履歴情報送信要求の受信に基づいて前記他遊技場会員識別情報特定手段にて特定された会員識別情報に対応する遊技場を特定可能な遊技場特定情報を、該遊技履歴情報送信要求を送信してきた遊技用装置に対して送信するための遊技場特定情報送信手段を備え、
前記遊技用装置は、
前記遊技場特定情報送信手段から送信される遊技場特定情報から特定される全ての遊技場を会員遊技者が選択可能に表示して、該会員遊技者が前記遊技場別遊技履歴情報を表示させたい遊技場の指定を受付ける遊技場指定受付け手段と、
該遊技場指定受付け手段にて受付けた遊技場の遊技場特定情報を含む指定遊技場情報を前記遊技場外管理装置に送信するための指定遊技場情報送信手段と、
を備え、
前記同一機種遊技履歴抽出手段は、前記指定遊技場情報送信手段から送信された指定遊技場情報に含まれる遊技場特定情報から特定される遊技場における前記他遊技場会員識別情報特定手段にて特定された会員識別情報に対応付けて前記場外遊技履歴情報記憶手段に記憶されている遊技履歴情報の内、前記機種特定手段にて特定された機種を特定可能な情報を含む遊技履歴情報を抽出することを特徴としている。
この特徴によれば、会員遊技者により選択された遊技場における自身が遊技を実施している遊技機の機種の遊技履歴のみを表示することから、その他の選択されない遊技場における同一機種の遊技履歴を抽出したり、抽出した遊技履歴を送信する等の処理を省くことができ、処理負荷を低減できる。
【０００８】
本発明の請求項３に記載の遊技用システムは、請求項１または２に記載の遊技用システムであって、
前記遊技場外管理装置は、前記遊技履歴情報送信要求に含まれる会員識別情報特定情報から特定される会員識別情報並びに該遊技履歴情報送信要求の受信に基づいて前記他遊技場会員識別情報特定手段にて特定された全ての会員識別情報に対応付けて前記場外遊技履歴情報記憶手段に記憶されている遊技履歴情報を抽出する遊技履歴抽出手段と、
該遊技履歴抽出手段にて抽出された遊技履歴情報に基づいて、前記遊技履歴情報送信要求を送信した遊技用装置を備える当該会員遊技者が遊技中の遊技場を含む各遊技場における各機種毎の当該会員遊技者の遊技成績を算出する遊技成績算出手段と、
該遊技成績算出手段にて算出された同じ機種に関する遊技成績の内、当該会員遊技者が遊技中の遊技場における遊技成績と、その他の遊技場における遊技成績との比較に基づいて、該会員遊技者が遊技中の遊技場における遊技成績がその他の遊技場における遊技成績よりも良い機種を特定する好成績機種特定手段と、
該好成績機種特定手段にて特定された機種を特定可能な機種特定情報を含む好成績機種情報を、前記遊技履歴情報送信要求を送信してきた遊技用装置に対して送信するための好成績機種情報送信手段と、
を備え、
前記遊技用装置は、前記好成績機種情報送信手段から送信される好成績機種情報に含まれる機種特定情報から特定される機種を、好成績の機種として表示する好成績機種表示手段を備えることを特徴としている。
この特徴によれば、会員遊技者が遊技中の遊技場における、自身が遊技中の遊技機の機種の遊技履歴に基づく遊技成績よりも好成績な機種が遊技用装置にて表示されるようになるため、会員遊技者は、機種選びを行うための指標にこれら好成績の機種の情報を活用することができるばかりか、例えば、遊技中の当該遊技場における遊技中の遊技機の機種の遊技成績が、他の遊技場よりも悪いとしても、遊技成績の良い機種を報知することにより、当該報知した遊技成績の良い機種での遊技意欲を高めることが可能となるので、当該遊技場における客離れを極力防止することができる。
【０００９】
本発明の請求項４に記載の遊技用システムは、請求項３に記載の遊技用システムであって、
前記遊技場外管理装置は、前記遊技成績算出手段により算出された各遊技場における各機種毎の遊技成績の内、該会員遊技者が遊技中の遊技場における前記機種特定手段により特定された機種の遊技成績と、その他の遊技場における前記機種特定手段により特定された機種の遊技成績とを比較して、該会員遊技者が遊技中の遊技場における遊技成績がその他の遊技場における遊技成績よりも良いか否かを判定する判定手段を備え、
前記好成績機種特定手段は、前記判定手段における判定結果が、該会員遊技者が遊技中の遊技場における遊技成績がその他の遊技場における遊技成績よりも悪いとの判定結果であることを条件に、該会員遊技者が遊技中の遊技場における遊技成績がその他の遊技場における遊技成績よりも良い機種を特定することを特徴としている。
この特徴によれば、会員遊技者が遊技中の当該遊技場における遊技中の遊技機の機種の遊技成績が、他の遊技場よりも悪いときに、漏れなくこれら好成績の機種の情報が前記遊技用装置に表示されるようになるため、当該遊技場における客離れをより一層防止することができる。
【００１０】
本発明の請求項５に記載の遊技用システムは、請求項１〜４のいずれかに記載の遊技用システムであって、
前記遊技履歴情報記憶手段に記憶されている遊技履歴情報は、前記会員遊技者が遊技した遊技機の機種における遊技頻度を特定可能な情報を含み、
前記遊技場外管理装置は、
各機種を特定可能な情報と当該機種の属性情報とを対応付けて記憶するための機種属性情報記憶手段と、
前記機種特定手段にて特定された機種の遊技履歴情報に代えて、他機種の遊技履歴情報を代用する遊技頻度に関する閾値条件を設定するための設定手段と、
前記遊技履歴情報送信要求に含まれる会員識別情報特定情報から特定される会員識別情報と、該遊技履歴情報送信要求の受信に基づいて前記他遊技場会員識別情報特定手段にて特定された会員識別情報、並びに前記遊技履歴情報記憶手段に記憶されている遊技履歴情報とに基づいて、前記機種特定手段にて特定された機種における、各遊技場毎の遊技頻度を特定する遊技頻度特定手段と、
該遊技頻度特定手段にて特定された各遊技場毎の遊技頻度が、前記設定手段にて設定された閾値条件に満たないときに、前記機種特定手段にて特定された当該機種に対応付けて前記機種属性情報記憶手段に記憶されている属性情報に含まれる情報と同一の情報を含む属性情報に対応付けて記憶されている他機種の内、当該遊技場における遊技頻度が前記閾値条件を満たす機種を特定する代用機種特定手段と、
を備え、
前記同一機種遊技履歴抽出手段は、前記機種特定手段にて特定された機種の遊技履歴情報に代えて、前記代用機種特定手段にて特定された機種を特定可能な情報を含む遊技履歴情報を抽出することを特徴としている。
この特徴によれば、遊技頻度が少ないときには、遊技中の遊技機の機種と同様の属性を有し、且つ閾値条件を満たす代用機種における当該会員遊技者の遊技履歴が表示されるので、他の遊技場において遊技中の遊技機の機種における遊技頻度が少ない場合であっても、遊技中の遊技場における遊技履歴と比較するための該他遊技場における遊技履歴を簡便に入手することができ、会員遊技者の利便性を向上できる。
【００１１】
本発明の請求項６に記載の遊技用システムは、請求項１〜５のいずれかに記載の遊技用システムであって、
前記遊技場内管理装置は、各会員遊技者の会員属性情報を入力するための会員属性情報入力手段と、該会員属性情報入力手段から入力された該会員属性情報と、当該会員遊技者の会員識別情報とを対応付けて前記遊技場外管理装置に送信する会員属性情報送信手段とを備え、
前記遊技場外管理装置は、前記会員属性情報送信手段から送信された会員識別情報と前記会員属性情報とを対応付けて前記会員属性情報記憶手段に記憶することを特徴としている。
この特徴によれば、遊技場内管理装置にて入力された会員属性情報と会員識別情報とが、前記遊技場外管理装置に対応付けて送信されることで、前記会員属性情報記憶手段に記憶されるようになり、遊技場外管理装置において、これら会員属性情報と会員識別情報とを入力する手間を省くことができる。
【００１２】
本発明の請求項７に記載の遊技用システムは、請求項１〜６のいずれかに記載の遊技用システムであって、
前記遊技場外管理装置は、前記遊技履歴情報送信手段から新たな遊技履歴情報を送信する旨の更新遊技履歴情報送信要求を受信するための更新送信要求受信手段を備え、該更新送信要求受信手段にて前記更新遊技履歴情報送信要求の受信後において前記遊技履歴情報送信手段から送信される遊技履歴情報と会員識別情報とに基づいて、該受信した会員識別情報に対応付けて前記場外遊技履歴情報記憶手段に記憶されている遊技履歴情報を更新することを特徴としている。
この特徴によれば、遊技場内管理装置から更新遊技履歴情報送信要求を送信した後、新たな遊技履歴情報と会員識別情報とを送信することで、遊技場外管理装置側において場外遊技履歴情報記憶手段における遊技履歴の更新が実施されるようになるため、遊技場或いは遊技場に設置された遊技場内管理装置側の都合に合わせて遊技履歴の更新を実施できるようになる。
【発明を実施するための最良の形態】
【００１３】
本発明の実施例を以下に説明する。
【実施例】
【００１４】
本実施例の遊技用システムは、図１に示すように、遊技場内に設置され、遊技場において複数配置された遊技島に並設される遊技機としてのカードリーダ式パチンコ機（以下パチンコ機）２に対して１対１に設置される遊技用装置としてのカードユニット３と、各遊技場に設置され、当該遊技場において会員登録した会員遊技者に関する情報（当該会員遊技者が当該遊技場内の遊技機において遊技した遊技履歴情報を含む）を収集、管理する遊技場内管理装置としての会員管理コンピュータ１２０と、これら各遊技場に設置された会員管理コンピュータ１２０に通信回線１１を通じて双方向にデータ通信可能に接続され、各遊技場の会員管理コンピュータ１２０から送信される会員登録情報や貯玉情報や遊技履歴情報となる遊技履歴データ等を含む会員遊技履歴情報や台情報の受信に基づいて、各遊技場別に会員遊技者の属性情報や遊技履歴情報や台情報等の遊技関連情報を集中管理する、カード管理会社に設置された遊技場外管理装置を成す管理サーバ１４０と、から主に構成されている。
【００１５】
各遊技場に設置されている会員管理コンピュータ１２０には、図１に示すように、前記カードユニット３をはじめ、会員遊技者が遊技にて獲得したパチンコ玉を計数して再度遊技に使用可能とするための玉計数器４０や、当該カードユニット３にて使用される会員用記録媒体である会員カード、並びにプリペイドカードであるビジターカードに記録されている遊技用価値である度数の管理等を行うシステムコントローラ１００が、通信ケーブル８を介して接続されており、カードユニット３からは、当該カードユニット３に会員カードが挿入されたことを示す当該挿入された会員カードから読み出した会員ＩＤを含むカード受付け通知や対応するパチンコ機２における遊技関連情報である台データ等の各種情報が送信され、玉計数器４０からは、会員カードから読み出された会員識別情報である会員ＩＤと計数したパチンコ玉数の情報が送信され、システムコントローラ１００からは、各会員カードへの使用度数等の情報が送信される。
【００１６】
また、各遊技場に設置されている該システムコントローラ１００も、ルータ５並びに通信回線１１を通じてカード管理会社に設置されている管理サーバ１４０に接続されており、該管理サーバ１４０において、各遊技場にて使用される会員カードやビジターカードに残存する度数等のカードに関する情報が管理されている。
【００１７】
カードユニット３は、対応するパチンコ機２と直接、及び中継端末４を介して接続されており、カードユニット３と対応するパチンコ機２との間で各種信号の送受が可能とされているとともに、対応するパチンコ機２等から出力された各種遊技情報を示す信号が中継端末４を介して対応するカードユニット３に入力されるようになっており、これら入力された各信号に基づいて遊技関連情報（台データ、具体的には、始動回数、大当り回数、確変回数、打込玉数、供給玉数）が会員管理コンピュータ１２０に送信されることで、該会員管理コンピュータ１２０において、各パチンコ機２における遊技関連情報（台データ）を把握できるとともに、該カードユニット３において会員カードの受付け中に生じた遊技関連情報（台データ）を、当該会員遊技者の遊技にて発生した遊技履歴情報として記憶、管理するようになっている。
【００１８】
また、各カードユニット３は、システムコントローラ１００並びに会員管理コンピュータ１２０とハブ（ＨＵＢ）８’（図３参照）並びに通信ケーブル８を介して双方向のデータ通信可能に接続されていて、各接続機器にはそれぞれローカルＩＰアドレスが付与されてローカルエリアネットワーク（ＬＡＮ）が形成されている。
【００１９】
この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２０】
カードユニット３の前面に設けられた会員カード挿入口３０９とビジターカード装着口３１０とは、遊技者から見て左右方向に並設配置されている。会員カード挿入口３０９は、内蔵される読み出し手段としてのカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２１】
カードユニット３の前面には、前方に突出する態様にて突出部３０５が設けられている。突出部３０５において、遊技者側に向けられた面には、本発明における遊技履歴情報表示手段を成す表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられている。
【００２２】
図３は、カードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２３】
カードリーダライタ３２７は、会員カードやビジターカードに記録されている会員識別情報である会員ＩＤや入金ＩＤや度数等の記録情報の読み出し並びに書き込みを行うとともに、ＨＵＢ８’を介してシステムコントローラ１００とデータ通信可能に接続されており、挿入された会員カードに記録されている会員ＩＤ並びに度数に基づく認証や当該度数の確認等をシステムコントローラ１００との間で行う。
【００２４】
表示制御基板３２９には、前述した表示部３１２を構成する液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２５】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２６】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００２７】
制御ユニット３２８には、表示制御基板３２９を介して接続されたスイッチや表示器等の電子部品に加えて、紙幣識別ユニット３２１、硬貨識別ユニット３２２が接続されている。
【００２８】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００２９】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３０】
また、制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御、並びに遊技使用処理としての後述する貸出処理や、再使用処理としての払戻処理等の各種処理を実行する。
【００３１】
また、制御ユニット３２８は、本発明の送信手段を成す通信部３３４並びにＨＵＢ８’を介して会員管理コンピュータ１２０とデータ通信可能に接続されており、各種データの送受が可能とされている。また、対応するパチンコ機２と接続されており、各種信号の送受が実施可能とされている。
【００３２】
この本実施例のカードユニット３において実施される各処理内容について説明すると、まず、カードユニット３の制御ユニット３２８は、会員カード挿入口３０９に挿入された会員カードに対して利用の可／不可を判別する受付処理を行う。
【００３３】
また、制御ユニット３２８は、該受付処理において受付けられた会員カードより読み出された度数が残存する場合であって、パチンコ機２に備えられる貸出ボタンの操作が検出された場合に、対応するパチンコ機２に対して所定度数に対応する数のパチンコ玉の貸出要求を出力してパチンコ玉の貸出を実施させるとともに、該所定度数を減算更新する貸出処理を行う。
【００３４】
また、制御ユニット３２８は、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付中の会員カードに残存する度数（本実施例では「０」）に加算する追加入金処理を行う。
【００３５】
また、制御ユニット３２８は、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００３６】
また、制御ユニット３２８は、会員遊技者が以前の遊技にて貯蓄した貯蓄玉数を、会員管理コンピュータ１２０から入手し、この入手した貯蓄玉数を使用して、対応するパチンコ機２に対して該入手した貯蓄玉数から特定される再プレイ回数の内、１回の再プレイに対応する数のパチンコ球の払出を要求する払戻要求を出力し、所定数のパチンコ玉の払い戻しを実施させる払戻処理を行う。
【００３７】
また、制御ユニット３２８は、カードユニット３と１対１に並設されたパチンコ機２が備える返却ボタンが遊技者により操作された場合に、受付け中の会員カードの返却を実施させる返却処理を行う。
【００３８】
また、制御ユニット３２８は、後述する会員メニュー画面において、「遊技場別履歴」のメニューが選択操作されたときに、カードリーダライタ３２７に受付け中の会員カードから読み出した会員ＩＤを特定可能な情報である装置ＩＤと、当該会員遊技者が会員となっている遊技場に関する情報（遊技場名）を含む遊技場データの送信を要求する旨とを含む遊技場情報送信要求を会員管理コンピュータ１２０に送信する遊技場情報送信要求送信処理を実施する。
【００３９】
また、制御ユニット３２８は、前記遊技場情報送信要求送信処理における遊技場情報送信要求の送信に基づいて前記会員管理コンピュータ１２０から返信（中継）されてくる後述する遊技場データに含まれる全ての遊技場を、会員遊技者が選択可能とされた図１５（ｂ）に示す遊技場選択受付け画面を表示して、該会員遊技者が遊技中の機種に関する自分の遊技履歴を表示させたい遊技場の指定を受付ける遊技場指定受付け処理を実施し、該遊技場指定受付け処理によって本発明における遊技場指定受付け手段が形成されている。
【００４０】
また、制御ユニット３２８は、前記遊技場指定受付け処理にて表示部３１２に表示した遊技場選択受付け画面において、会員遊技者からの遊技場の選択を受付けたときに、カードリーダライタ３２７に受付け中の会員カードから読み出した会員ＩＤを特定可能な情報である装置ＩＤと、当該カードユニット３が対応する機種を特定可能な機種特定情報となる装置ＩＤと、受付けた遊技場を特定可能な遊技場特定情報となる該選択された遊技場名と、該遊技場名の遊技場における遊技履歴である遊技場別履歴データの送信を要求する旨とを含む本発明における遊技履歴情報送信要求並びに指定遊技場情報となる遊技場別履歴データ送信要求を会員管理コンピュータ１２０に送信する遊技場別履歴データ送信要求送信処理を実施し、該遊技場別履歴データ送信要求送信処理によって本発明における送信要求送信手段並びに指定遊技場情報送信手段が形成されている。
【００４１】
また、制御ユニット３２８は、前記遊技場別履歴データ送信要求送信処理における遊技場別履歴データ送信要求の送信に基づいて、会員管理コンピュータ１２０から返信（中継）されてくる、本発明における遊技場別遊技履歴情報となる後述する遊技場別履歴データの受信に基づいて、該受信した遊技場別履歴データを該カードユニット３が対応するパチンコ機２の機種と同一機種における当該会員遊技者が指定した自身が会員となっている遊技場における遊技場別遊技履歴情報として表示部３１２に表示する遊技場別履歴データ表示処理を実施し、該遊技場別履歴データ表示処理によって本発明の遊技場別遊技履歴情報表示手段が形成されている。
【００４２】
また、制御ユニット３２８は、前記会員管理コンピュータ１２０から返信（中継）されてきた遊技場別履歴データに好成績機種表示指示が含まれているときには、図１５（ｃ）に示す如く、会員遊技者が選択可能な選択入力部として、「好成績機種」の選択入力部を有する遊技場別履歴データ表示画面を表示し、返信（中継）されてきた遊技場別履歴データに好成績機種表示指示が含まれていないときには、図１５（ｄ）に示す如く、「好成績機種」の選択入力部を有しない遊技場別履歴データ表示画面を表示部３１２に表示する。
【００４３】
また、制御ユニット３２８は、前記遊技場別履歴データ表示画面に表示された「好成績機種」の選択入力部の選択を受付けたときに、カードリーダライタ３２７に受付け中の会員カードから読み出した会員ＩＤを特定可能な情報である装置ＩＤと、当該遊技場において当該会員遊技者が会員となっている他の遊技場よりも好成績をおさめている好成績機種の情報である好成績機種データを要求する旨とを含む好成績機種情報送信要求を会員管理コンピュータ１２０に送信する好成績機種情報送信要求送信処理を実施する。
【００４４】
また、制御ユニット３２８は、前記好成績機種情報送信要求送信処理における好成績機種情報送信要求の送信に基づいて、前記会員管理コンピュータ１２０から返信（中継）されてくる後述する好成績機種データに含まれる好成績の機種名と、当該機種名の機種における当該遊技場での遊技成績並びに遊技履歴とを含む、図１６（ｂ）に示す好成績機種情報画面を表示部３１２に表示する好成績機種情報表示処理を実施し、該好成績機種情報表示処理によって本発明における好成績機種表示手段が形成されている。
【００４５】
また、制御ユニット３２８は、前記中継端末４を介して入力される遊技関連情報（台データ）を、カードリーダライタ３２７に受付け中の会員カードから読み出した会員ＩＤを特定可能な会員識別情報特定情報並びに当該カードユニット３が対応するパチンコ機２の機種を特定可能な機種特定情報となる装置ＩＤとともに、会員管理コンピュータ１２０に通信部３３４から送信する遊技関連情報送信処理を実施し、該遊技関連情報送信処理によって本発明の送信手段が形成されている。
【００４６】
次に、本実施例に用いた遊技場内管理装置としての会員管理コンピュータ１２０について説明すると、本実施例の会員管理コンピュータ１２０は、図４に示すように、コンピュータ内部にてデータの送受を行うデータバス１２１に、該会員管理コンピュータ１２０が実施する各種処理等を行うＣＰＵ１２２、処理時の一時記憶領域等として使用されるＲＡＭ１２３、現在の時刻情報やカレンダ情報を出力するリアルタイムクロック（ＲＴＣ）１２４、磁気ディスクや光磁気ディスクから成る記憶装置１２５、キーボードやマウス等の前記会員属性情報入力手段となる入力装置１２６、各種情報を表示出力する表示装置１２７、各種情報をプリント出力するプリンタ１２８、カードユニット３や玉計数器４０やシステムコントローラ１００や管理サーバ１４０とのデータ通信を行うための通信部１２９が接続された通常のコンピュータである。
【００４７】
また、記憶装置１２５には、会員管理コンピュータ１２０の処理を実施するための処理プログラムに加えて、各会員遊技者に関する会員関連情報が登録（記憶）される会員情報テーブル（図５（ａ）参照）や、各会員遊技者の遊技によりパチンコ機２にて発生した当該会員遊技者の遊技履歴情報となる貯蓄玉数や収支等を含む遊技履歴が記憶される会員別遊技履歴テーブル（図５（ｂ）参照）や、各カードユニット３に受付け中の会員カードの会員ＩＤや、各カードユニット３が対応するパチンコ機２の台データ等が記憶されるユニット管理テーブル（図５（ｃ）参照）が記憶されている。
【００４８】
この本実施例の会員情報テーブルには、図５（ａ）に示すように、各会員遊技者を個々に識別可能とするために、各会員遊技者に当該遊技場にて固有に付与された会員識別情報である会員ＩＤに対応付けて、本人確認に使用される暗証番号、その時点の来店ポイント数と、来店回数と、会員の氏名（名字並びに名前）、性別、年齢、誕生日、職業、住所、電子メールアドレスからなる会員属性情報とが登録されている。
【００４９】
また、本発明における遊技履歴情報記憶手段となる本実施例の会員別遊技履歴テーブルには、図５（ｂ）に示すように、各会員遊技者の会員ＩＤに対応付けて、前記玉計数器４０にて計数されて再度の遊技に使用可能とされた貯蓄玉数と、会員遊技者がカードユニット３に会員カードを挿入してから当該会員カードを取り出すまでに実施した遊技を１回の遊技として、最近３ヶ月以内の遊技履歴が記憶されている。これら遊技履歴として具体的には、各会員ＩＤ毎に、来店日、遊技を実施したパチンコ機２の台番号並びに当該台番号のパチンコ機の機種名と、遊技の開始時間（会員カードの挿入時間）、遊技の終了時間（会員カードの返却時間）、開始時間と終了時間との差である遊技時間、対応するパチンコ機２における図示しない可変表示装置において可変表示が実施された回数である始動回数、該対応するパチンコ機２において発生した大当りの回数である大当回数、対応するパチンコ機２において発生した確変大当りの回数である確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、遊技場の勝敗とが記憶されている。
【００５０】
また、本実施例のユニット管理テーブルには、図５（ｃ）に示すように、遊技場内に設置された各カードユニット３を個々に識別可能とするために各カードユニット３に固有に付与された装置ＩＤに対応付けて、当該カードユニット３が設置されている遊技島の島番号と、当該カードユニット３の状況（待機中または受付中）と、当該カードユニット３が対応するパチンコ機２の機種名（対応機種名）と、該対応するパチンコ機２の台番号（対応台番号）と、会員カードを受付け中の場合には受付け中の会員カードの会員ＩＤが記憶される受付会員ＩＤと、対応するパチンコ機２における各種の台データが記憶されており、これら台データとしては、該対応するパチンコ機２における図示しない可変表示装置における始動回数の累計である総始動回数や、該対応するパチンコ機２において発生した大当りの回数である大当り回数や、該対応するパチンコ機２において発生した確変大当りの回数である確変回数や、当該カードユニット３が対応するパチンコ機２に供給された供給玉数や、当該カードユニット３が対応するパチンコ機２から排出された打込玉数や、打込玉数から供給玉数を差し引いた差玉数や、各大当りが発生する間における可変表示装置における始動回数である大当間始動回数１、大当間始動回数２…が記憶されている。このユニット管理テーブルには、カードユニット３から会員カードの受付けに基づいて送信される会員カード受付け通知（図１１参照）の受信により、該会員カード受付け通知に含まれる新たに受付けた会員ＩＤが前記受付け会員ＩＤの項目に登録されることで、カードユニット３の装置ＩＤから、そのカードユニット３に受付け中の会員カードの会員ＩＤと、対応するパチンコ機２の機種名や台番号を特定できるようになっている。また、このユニット管理テーブルにおける装置ＩＤや設置島の島番号、対応機種名、対応台番号等の各データは、予め会員管理コンピュータ１２０に設定入力されることで、記憶されている。
【００５１】
また、本実施例の会員管理コンピュータ１２０のＣＰＵ１２２は、カードユニット３における再プレイ操作により該カードユニット３から送信される貯玉抽出要求の受信に基づいて、当該貯玉抽出要求に含まれる暗証番号を当該貯玉抽出要求に含まれる会員ＩＤに対応して前記会員情報テーブルに記憶されている暗証番号と照合し、当該照合が一致した場合において、前記会員別遊技履歴テーブルに当該会員ＩＤに対応付けて記憶されている貯蓄玉数をカードユニット３に返信することで該貯蓄玉数の遊技への再使用を許諾する貯蓄玉数使用許諾処理を実施するとともに、該貯蓄玉数の遊技への再使用に供された貯蓄玉数の大きさを該貯蓄玉数の大きさから減算更新する。
【００５２】
また、本実施例の会員管理コンピュータ１２０のＣＰＵ１２２は、前記玉計数器４０から送信される計数情報の受信に基づいて、当該受信した計数情報に含まれる会員ＩＤに対応して前記会員別遊技履歴テーブルに記憶されている貯蓄玉数の大きさに、当該受信した計数情報に含まれる計数玉数の大きさを加算更新する貯蓄玉数更新処理を実施するとともに、該貯蓄玉数更新処理による加算更新後の新たな貯蓄玉数の大きさと、会員ＩＤ並びに遊技場ＩＤとを含む貯玉情報を管理サーバ１４０に送信する貯玉情報送信処理を実施する。
【００５３】
また、本実施例の会員管理コンピュータ１２０のＣＰＵ１２２は、カードユニット３に新たに会員カードが受付けられたことに基づいて、当該カードユニット３から送信される会員カード受付け通知の受信に基づき、当該会員カード受付け通知に含まれる新たに受付けた会員カードから読み出した会員ＩＤに対応する前記会員別遊技履歴テーブルの今回のデータを前回のデータに、前回のデータを２回前のデータというように、それぞれの遊技履歴の回数の更新を実施するともに、今回の遊技履歴への記憶（更新）を開始して、当該会員遊技者の遊技において発生する遊技履歴情報を記憶し、前記カードユニット３における返却操作に基づいて、カードユニット３から送信される返却通知に前記にて記憶を開始した会員ＩＤが含まれる場合において、今回の遊技履歴への記憶（更新）を終了し、当該遊技単位における勝敗を判定して記憶するとともに、該勝敗を記憶した遊技履歴情報となる遊技履歴データと、当該会員ＩＤに対応する貯蓄玉数の大きさと、会員情報テーブルに当該会員ＩＤに対応して記憶されている来店ポイントと来店回数と、会員ＩＤと遊技場ＩＤとを含む会員遊技関連情報を管理サーバ１４０に送信する会員遊技関連情報送信処理を実施し、該会員遊技関連情報送信処理によって本発明における遊技履歴情報送信手段が形成されている。尚、前記した今回の遊技履歴への記憶（更新）の開始に際しては、会員管理コンピュータ１２０からシステムコントローラ１００に対して当該更新する遊技履歴に対応する会員ＩＤを含む使用度数情報出力要求を送信することで、システムコントローラ１００から、当該送信した使用度数情報出力要求に含まれる会員ＩＤが記録された会員カードから度数の使用があった場合に、該使用度数の情報が送信されてくることで、遊技履歴の売上金額への加算更新が実施されるようになっている。
【００５４】
また、本実施例の会員管理コンピュータ１２０のＣＰＵ１２２は、前記会員遊技関連情報送信処理における会員遊技関連情報の送信に先だって、図１０に示すように、本発明における更新遊技履歴情報送信要求となる会員遊技関連情報送信要求を、管理サーバ１４０に対して送信する会員遊技関連情報送信要求送信処理を実施する。
【００５５】
また、本実施例の会員管理コンピュータ１２０のＣＰＵ１２２は、カードユニット３に新たに会員カードが受付けられたことにより該カードユニット３から送信されるカード受付け通知の受信に基づき、ユニット管理テーブルにおいて当該カードユニット３の装置ＩＤに対応する「状況」を更新するとともに、受信したカード受付け通知に含まれる会員ＩＤを「受付け会員ＩＤ」の項目に記憶するとともに、会員情報テーブルにおいて当該カードユニット３の装置ＩＤに対応する来店ポイントや来店回数を更新（一日において一回のみ）する更新処理を実施する。
【００５６】
また、本実施例の会員管理コンピュータ１２０のＣＰＵ１２２は、カードユニット３から送信され、前記中継端末４を介して入力される各種信号の入力状況に基づく遊技関連情報（台データ）の受信に基づいて、前記ユニット管理テーブルの各遊技関連情報（台データ）を更新するユニット管理テーブル更新処理を実施する。
【００５７】
また、本実施例の会員管理コンピュータ１２０のＣＰＵ１２２は、前記ユニット管理テーブルに記憶している各カードユニット３が対応するパチンコ機２の台データ（具体的には、始動回数、大当り回数、確変回数、打込玉数、供給玉数、差玉数）と台番号と、当該遊技場の遊技場ＩＤとを含む台情報を、管理サーバ１４０に対して送信する台情報送信処理を実施する。
【００５８】
また、本実施例の会員管理コンピュータ１２０のＣＰＵ１２２は、前記台情報送信処理における台情報の送信に先だって、図１０に示すように、台情報送信要求を、管理サーバ１４０に対して送信する台情報送信要求送信処理を実施する。
【００５９】
また、本実施例の会員管理コンピュータ１２０のＣＰＵ１２２は、カードユニット３からの遊技場情報送信要求、遊技場別履歴データ送信要求、好成績機種情報送信要求の受信に基づいて、これら各送信要求に含まれる会員識別情報特定情報並びに機種特定情報となる装置ＩＤから、会員ＩＤ並びに台番号（遊技場別履歴データ送信要求並びに好成績機種情報送信要求の場合）を特定し、該特定した会員ＩＤを前記装置ＩＤに代えて含むとともに、当該会員遊技者が会員となっている全ての遊技場の情報を含む遊技場データの送信を要求する旨を含む遊技場情報要求や、これら特定した会員ＩＤと台番号とを前記装置ＩＤに代えて含むとともに、後述するようにして会員遊技者により選択された遊技場名と、該遊技場名の遊技場における遊技履歴である遊技場別履歴データの送信を要求する旨とを含む遊技場別履歴データ要求や、これら特定した会員ＩＤと台番号とを前記装置ＩＤに代えて含むとともに、当該遊技場において当該会員遊技者が会員となっている他の遊技場よりも好成績をおさめている好成績機種の機種の情報である好成績機種データを要求する旨とを含む好成績機種情報要求を管理サーバ１４０に対して送信する要求中継処理を実施する。
【００６０】
また、本実施例の会員管理コンピュータ１２０のＣＰＵ１２２は、前記管理サーバ１４０から後述する遊技場情報、遊技場別履歴情報、好成績機種情報の受信に基づいて、当該受信した各情報に含まれる会員ＩＤから、該会員ＩＤが記録されている会員カードを受付け中のカードユニット３（移動後のカードユニット３であっても良い）を特定し、該特定したカードユニット３に、受信した各情報に含まれる遊技場データ、遊技場別履歴データ（代用情報が付加されているものを含む）、好成績機種データを中継する中継処理を実施する。
【００６１】
また、本実施例の会員管理コンピュータ１２０のＣＰＵ１２２は、新規の会員登録を実施するための所定操作がなされた場合において、図９に示す会員登録画面を表示装置１２７に表示して、新たに会員登録する会員遊技者に関する会員属性情報の入力を受付ける会員属性情報入力処理を実施し、当該新規会員遊技者に会員ＩＤを付与するとともに、当該付与した会員ＩＤに対応付けて、該会員登録画面にて受付けた会員属性情報を前記会員情報テーブルに記憶する会員属性情報記憶処理を実施した後、当該新たに会員情報テーブルに記憶した会員ＩＤと会員属性情報とを含む会員登録情報を管理サーバ１４０に送信する会員登録情報送信処理を実施するようになっており、前記会員属性情報入力処理によって本発明における会員属性情報入力手段が形成され、前記会員登録情報送信処理によって本発明における会員属性情報送信手段が形成されている。
【００６２】
この本実施例に用いた会員登録画面には、図９に示すように、前記会員情報テーブルに記憶（登録）される各種会員属性情報である会員の氏名（名字並びに名前）、性別、年齢、誕生日、職業、住所、電子メールアドレス等を入力するための入力部が設けられており、該入力部に対応する属性情報をそれぞれ入力した後に、画面下方の「登録」の選択入力部を選択することで、前記会員属性情報記憶処理並びに前記会員登録情報送信処理が実施される。
【００６３】
次いで、本発明における遊技場外管理装置となる管理サーバ１４０の構成について説明すると、管理サーバ１４０は、図６に示すように、コンピュータ内部にてデータの送受を行うデータバス１４１に、該管理サーバ１４０が実施する各遊技場にて使用される会員カードやビジターカードに残存する度数や使用度数、発行度数や入金度数の管理を行うための処理や、後述する記憶装置１４５に記憶されている各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線１１を通じて各遊技場に設置されたルータ５を介して、当該遊技場に設置されたシステムコントローラ１００や会員管理コンピュータ１２０等の各装置とのデータ通信を行うためのデジタルサービスユニット（ＤＳＵ）１４８とが接続された処理能力に優れたサーバ用のコンピュータである。
【００６４】
また、記憶装置１４５には、管理サーバ１４０が実施する各種処理内容が記述された処理プログラムに加えて、会員カードやビジターカードに残存する度数や入金額等のデータ等が記憶されるカード管理ＤＢや、図７（ａ）に示す本発明における会員属性情報記憶手段となる遊技場別会員情報データベースや、図７（ｂ）に示す本発明における場外遊技履歴情報記憶手段となる遊技場別会員遊技履歴テーブルや、図８（ａ）に示す本発明における機種属性情報記憶手段となる遊技場別台情報テーブルや、図８（ｂ）に示す遊技場情報テーブルが記憶されている。
【００６５】
この実施例の遊技場別会員情報データベースには、図７（ａ）に示すように、個々の遊技場毎に、各遊技場において会員登録した会員遊技者の会員ＩＤと、暗証番号と、来店ポイントと、来店回数と、会員の氏名（名字並びに名前）、性別、年齢、誕生日、職業、住所、電子メールアドレスから成る会員属性情報が記憶されており、これら遊技場別会員情報データベースの記憶データは、前記会員管理コンピュータ１２０から送信される会員登録情報や、会員遊技関連情報の受信に基づいて更新記憶される。
【００６６】
また、本実施例の遊技場別会員遊技履歴テーブルには、図７（ｂ）に示すように、各遊技場を個々に識別可能とするために各遊技場に固有に付与された遊技場ＩＤに対応付けて、各遊技場において会員登録した会員遊技者の会員ＩＤが記憶されているとともに、当該各会員ＩＤ毎に、当該会員遊技者の貯蓄玉数とともに、来店日、遊技を実施したパチンコ機２の台番号並びに該台番号のパチンコ機の機種名と、遊技の開始時間（会員カードの挿入時間）、遊技の終了時間（会員カードの返却時間）、開始時間と終了時間との差である遊技時間、始動回数、大当回数、確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、遊技場の勝敗とから成る遊技履歴とが記憶されており、これらの記憶データは、当該遊技場ＩＤに対応する遊技場に設置されている前記会員管理コンピュータ１２０から送信される会員遊技関連情報に基づいて更新記憶される。
【００６７】
また、本実施例の遊技場別台情報テーブルには、図８（ａ）に示すように、各遊技場の遊技場ＩＤに対応付けて、各遊技場に設置されている遊技機であるパチンコ機２の台番号と、当該パチンコ機２の機種名と、当該パチンコ機２のメーカー名並びに当該パチンコ機２の種別並びに当該パチンコ機２の仕様上の大当り確率とから成る当該パチンコ機２に関する属性情報と、総始動回数と、大当り回数と、確変回数と、供給玉数と、打込玉数並びに差玉数とが記憶されており、これらの記憶データは、当該遊技場ＩＤに対応する遊技場に設置されている前記会員管理コンピュータ１２０から送信される台情報に基づいて更新記憶される。尚、これら遊技場別台情報テーブルに記憶されている台番号や機種名や属性情報は、各遊技場に設置された会員管理コンピュータ１２０から予め送信されることで、遊技場別台情報テーブルに各遊技場の遊技場ＩＤに対応付けて記憶される。
【００６８】
また、本実施例の遊技場情報テーブルには、図８（ｂ）に示すように、各遊技場の遊技場ＩＤに対応付けて、当該遊技場において会員遊技者に発行される会員カードに記録された会員ＩＤの範囲である対応会員ＩＤと、当該遊技場の遊技場名や、所在地、並びに前記ＤＳＵ１４８並びに通信回線１１を通じて各遊技場に設置されたシステムコントローラ１００や会員管理コンピュータ１２０との通信接続を実施するための接続用情報である回線番号が記憶されている。
【００６９】
この本実施例の管理サーバ１４０のＣＰＵ１４２は、会員管理コンピュータ１２０における前記会員登録情報送信処理にて送信される会員登録情報の受信に基づいて、前記遊技場別会員情報データベースにおいて当該受信した会員登録情報に含まれる遊技場ＩＤから特定される遊技場の記憶データに、当該受信した会員登録情報に含まれる会員ＩＤと会員属性情報とを記憶（登録）する会員関連情報記憶処理を実施する。（図１０参照）
【００７０】
また、本実施例の管理サーバ１４０のＣＰＵ１４２は、会員管理コンピュータ１２０における前記貯玉情報送信処理にて送信される貯玉情報の受信に基づいて、当該貯玉情報に含まれる遊技場ＩＤ並びに会員ＩＤに対応付けて前記遊技場別会員遊技履歴テーブルに記憶されている貯蓄玉数を更新する貯蓄玉数更新処理を実施する。（図１０参照）
【００７１】
また、本実施例の管理サーバ１４０のＣＰＵ１４２は、会員管理コンピュータ１２０における前記会員遊技関連情報送信処理にて送信される会員遊技関連情報の受信により、当該受信した会員遊技関連情報に含まれる遊技履歴データ並びに貯蓄玉数の大きさとに基づいて、該受信した会員遊技関連情報に含まれる会員ＩＤと遊技場ＩＤに対応付けて前記遊技場別会員遊技履歴テーブルに記憶されている貯蓄玉数の大きさを更新記憶するとともに、当該受信した会員遊技関連情報に含まれる来店ポイントと来店回数とを、前記遊技場別会員情報データベースにおいて、該受信した会員遊技関連情報に含まれる遊技場ＩＤから特定される遊技場の記憶データの内、該受信した会員ＩＤに対応する来店ポイントと来店回数とに更新記憶する会員遊技関連情報更新処理を実施する。（図１０参照）
【００７２】
また、本実施例の管理サーバ１４０のＣＰＵ１４２は、会員管理コンピュータ１２０における会員遊技関連情報送信要求送信処理にて送信される会員遊技関連情報送信要求を受信する会員遊技関連情報送信要求受信処理を実施するとともに、該会員遊技関連情報送信要求の受信に基づいて会員遊技関連情報の受信待機（受信準備）を実施するようになっており、該会員遊技関連情報送信要求受信処理によって本発明における更新送信要求受信手段が形成されている。（図１０参照）
【００７３】
また、本実施例の管理サーバ１４０のＣＰＵ１４２は、会員管理コンピュータ１２０における前記台情報送信処理にて送信される台情報の受信に基づいて、当該受信した台情報に含まれる台番号とその台の台データに基づいて、遊技場別台情報テーブルを更新する遊技場別台情報テーブル更新処理を実施する。（図１０参照）
【００７４】
また、本実施例の管理サーバ１４０のＣＰＵ１４２は、前記カードユニット３の制御ユニット３２８における前記遊技場情報送信要求送信処理にて遊技場情報送信要求が送信されることに基づいて会員管理コンピュータ１２０における前記要求中継処理により会員管理コンピュータ１２０から送信される遊技場情報要求の受信に基づき、該遊技場情報要求に含まれる会員識別情報特定情報である会員ＩＤから特定される会員ＩＤに対応付けて前記会員属性情報記憶手段となる遊技場別会員情報データベースに記憶されている会員属性情報である電子メールアドレスを特定し、前記遊技場情報要求に含まれる会員ＩＤ以外の会員ＩＤに対応付けて遊技場別会員情報データベースに記憶されている会員属性情報の内、該特定した電子メールアドレスと同一の電子メールアドレスを含む会員属性情報を特定し、該特定した会員属性情報に対応付けて該遊技場別会員情報データベースに記憶されている他の遊技場の遊技場ＩＤと会員ＩＤとを全て特定する他遊技場会員識別情報特定処理を実施し、該他遊技場会員識別情報特定処理によって本発明における他遊技場会員識別情報特定手段が形成されている。
【００７５】
また、本実施例の管理サーバ１４０のＣＰＵ１４２は、前記他遊技場会員識別情報特定処理にて特定された全ての遊技場ＩＤと受信した遊技場情報要求に含まれる会員ＩＤに対応する遊技場ＩＤとに基づいて、当該会員遊技者が会員となっている全ての遊技場の遊技場名を図８（ｂ）に示す遊技場情報テーブルから全て特定し、本発明における遊技場特定情報となる該特定した全ての遊技場名を含む遊技場データを生成し、該遊技場データを受信した遊技場情報要求に含まれる会員ＩＤとともに遊技場情報として遊技場情報送信要求を送信してきたカードユニット３に、会員管理コンピュータ１２０を介して送信する遊技場情報送信処理を実施し、該遊技場情報送信処理によって本発明における遊技場特定情報送信手段が形成されている。
【００７６】
また、本実施例の管理サーバ１４０のＣＰＵ１４２は、前記カードユニット３の制御ユニット３２８における遊技場別履歴データ送信要求送信処理にて遊技場別履歴データ送信要求が送信されることに基づいて会員管理コンピュータ１２０における前記要求中継処理により会員管理コンピュータ１２０から送信される遊技場別履歴データ要求の受信に基づき、該遊技場別履歴データ要求に含まれる会員ＩＤと前記遊技場情報テーブル（図８（ｂ））に記憶されている対応会員ＩＤのデータとから、当該会員遊技者が遊技中の遊技場を特定するとともに、該特定した遊技場と遊技場別履歴データ要求に含まれる機種特定情報となる台番号とから、該台番号のパチンコ機２の機種を特定する機種特定処理を実施し、該機種特定処理によって本発明の機種特定手段が形成されている。
【００７７】
また、本実施例の管理サーバ１４０のＣＰＵ１４２は、前記他遊技場会員識別情報特定処理において特定した全ての遊技場ＩＤと会員ＩＤ、並びに受信した遊技場別履歴データ要求に含まれる会員ＩＤと該会員ＩＤから特定される遊技場ＩＤとに対応付けて遊技場別遊技履歴情報テーブルに記憶されている遊技履歴情報を全て抽出する遊技履歴抽出処理を実施し、該遊技履歴抽出処理によって本発明における遊技履歴抽出手段が形成されている。
【００７８】
また、本実施例の管理サーバ１４０のＣＰＵ１４２は、前記遊技履歴抽出処理にて抽出した遊技履歴情報の内、同一の遊技場ＩＤ並びに同一の機種名を含む遊技履歴情報に基づいて、遊技場別の各機種毎の遊技成績、具体的には総遊技回数に対する勝ち回数の割合となる勝率を算出する遊技成績算出処理を実施し、該遊技成績算出処理によって遊技成績算出手段が形成されている。
【００７９】
また、本実施例の管理サーバ１４０のＣＰＵ１４２は、受信した遊技場別履歴データ要求に含まれる会員ＩＤから特定した遊技場ＩＤに対応する会員遊技者が遊技中の遊技場での前記特定した会員遊技者が遊技中の機種における遊技成績（勝率）と、該会員遊技者が遊技中の遊技場以外に当該会員遊技者が会員となっているその他の遊技場における同じ機種の遊技成績（勝率）とを比較して、遊技中の遊技場における遊技成績（勝率）が当該会員遊技者が会員となっているその他の遊技場よりも良いか否かを判定する判定処理を実施し、該判定処理によって本発明における判定手段が形成されている。
【００８０】
また、本実施例の管理サーバ１４０のＣＰＵ１４２は、前記遊技履歴抽出処理にて抽出した遊技履歴情報の内、前記機種特定処理にて特定した機種の機種名を含む遊技履歴情報を更に抽出するとともに、該抽出した遊技履歴情報の内、受信した遊技場別履歴データ要求に含まれる遊技場名に該当する遊技履歴情報を全て特定して、前記会員遊技者により指定された遊技場別に遊技履歴情報を抽出する同一機種遊技履歴抽出処理を実施し、該同一機種遊技履歴抽出処理によって本発明における同一機種遊技履歴抽出手段が形成されている。
【００８１】
また、本実施例の管理サーバ１４０のＣＰＵ１４２は、前記同一機種遊技履歴抽出処理にて特定して抽出した遊技履歴情報に含まれる後述する遊技頻度閾値設定処理にて設定された遊技頻度の内容、具体的には図１７に示す遊技頻度閾値設定画面における遊技頻度内容設定の項目に選択設定された遊技時間の合計値を算出して遊技頻度を特定する遊技頻度特定処理を実施し、該遊技頻度特定処理によって本発明における遊技頻度特定手段が形成されている。
【００８２】
また、本実施例の管理サーバ１４０のＣＰＵ１４２は、前記遊技頻度特定処理において特定された遊技頻度となる遊技時間の合計値が、後述する遊技頻度閾値設定処理にて設定された遊技頻度の内容、具体的には図１７に示す遊技頻度閾値設定画面における閾値の項目に選択設定された閾値条件である遊技時間、例えば２時間を満たしていないときに、前記機種特定処理にて特定された当該会員遊技者が遊技中のパチンコ機２の機種に代えて、該機種の属性情報と同様の属性情報の他の機種の内、前記した閾値条件である２時間を満たす（以上である）機種を代用機種として特定する代用機種特定処理を実施するとともに、該特定した代用機種における受信した遊技場別履歴データ要求に含まれる遊技場名を含む遊技履歴情報を全て抽出する代用機種遊技履歴情報抽出処理とを実施し、前記代用機種特定処理によって本発明における代用機種特定手段が形成されている。
【００８３】
具体的に、この代用機種特定処理においては、前記遊技頻度特定処理において特定された遊技頻度となる遊技時間の合計値が閾値条件である例えば２時間を満たしていないときに、受信した遊技場別履歴データ要求に含まれる台番号と会員ＩＤから特定される遊技場とに対応付けて前記遊技場別台情報テーブルに記憶されているパチンコ機２の属性情報に含まれる情報であるメーカー名と種別とを特定するとともに、該特定したメーカー名と種別と同一のメーカー名と種別とを含む属性情報に対応付けて記憶されている他機種を全て特定し、該特定した他機種の内、前記会員遊技者により指定された遊技場別履歴データ要求に含まれる遊技場名の遊技場における遊技頻度である遊技時間の合計値が、前記した閾値条件である２時間を満たす（以上である）機種を代用機種として特定する。
【００８４】
また、本実施例の管理サーバ１４０のＣＰＵ１４２は、前記同一機種遊技履歴抽出処理または前記代用機種遊技履歴情報抽出処理によって抽出された遊技履歴情報を合算して、受信した遊技場別履歴データ要求に含まれる遊技場名の遊技場における会員遊技者が遊技中のパチンコ機２の機種または代用機種における履歴データとなる遊技場別履歴データを生成する遊技場別履歴データ生成処理を実施するとともに、当該遊技場別履歴データ生成処理にて生成した遊技場別履歴データを、受信した遊技場別履歴データ要求に含まれる会員ＩＤとともに遊技場別履歴情報として、前記遊技場別履歴データ送信要求を送信したカードユニット３に対して会員管理コンピュータ１２０を介して送信する遊技場別履歴情報送信処理を実施し、該遊技場別履歴情報送信処理により本発明における遊技場別遊技履歴情報送信手段が形成されている。
【００８５】
また、本実施例の管理サーバ１４０のＣＰＵ１４２は、図１７に示す遊技頻度閾値設定画面を表示装置１４６に表示して、前記機種特定処理によって特定した会員遊技者が遊技中のパチンコ機２の機種における当該会員遊技者が指定された遊技場での遊技履歴に基づいて特定（算出）する遊技頻度の内容（種別）と、該遊技頻度の内容（種別）、例えば遊技時間が少ない場合に、当該機種の遊技履歴に代えて当該機種と同等の他機種の遊技履歴を代用する条件となる閾値とを受付けて設定する遊技頻度閾値設定処理を実施し、該遊技頻度閾値設定処理によって本発明における設定手段が形成されている。
【００８６】
この遊技頻度閾値設定処理において表示装置１４６に表示される遊技頻度閾値設定画面には、図１７に示すように、遊技頻度の内容（種別）を選択設定するための遊技頻度内容設定の項目と、閾値を選択設定するための閾値の項目とが設けられていて、本実施例では、これら遊技頻度内容設定の項目においては、遊技時間や遊技回数等を選択して設定でき、閾値の項目においては、遊技頻度内容設定の項目にて遊技時間が選択されている場合には、１時間、２時間、３時間…の如く１時間単位での設定が可能とされ、、遊技頻度内容設定の項目にて遊技回数が選択されている場合には、１回、２回、３回…の如く１回単位での設定が可能とされている。
【００８７】
また、本実施例の管理サーバ１４０のＣＰＵ１４２は、前記判定処理において、会員遊技者が遊技中の遊技場における遊技成績（勝率）が、該会員遊技者が遊技中の遊技場以外に当該会員遊技者が会員となっているその他の遊技場における遊技成績よりも悪いとの判定結果であるときに、後述する好成績機種表示指示を含む遊技場別履歴情報を送信することにより、前記カードユニット３の制御ユニット３２８における前記好成績機種情報送信要求送信処理にて好成績機種情報送信要求が送信されることに基づいて会員管理コンピュータ１２０における前記要求中継処理により会員管理コンピュータ１２０から送信される好成績機種情報要求の受信に基づき、前記遊技成績算出処理にて算出した同じ機種に関する遊技成績（勝率）の内、当該会員遊技者が遊技中の遊技場における遊技成績（勝率）と、該会員遊技者が遊技中の遊技場以外に当該会員遊技者が会員となっているその他の遊技場における遊技成績（勝率）との比較に基づいて、該会員遊技者が遊技中の遊技場における遊技成績（勝率）が、遊技中の遊技場以外に当該会員遊技者が会員となっているその他の遊技場における遊技成績（勝率）よりも良い機種を特定する好成績機種特定処理を実施し、該好成績機種特定処理によって本発明における好成績機種特定手段が形成されている。尚、前記本実施例においては、会員遊技者が遊技中の遊技場における遊技成績（勝率）が、遊技中の遊技場以外に当該会員遊技者が会員となっているその他の遊技場における遊技成績よりも良いとの判定結果であるときには、前記好成績機種表示指示を含む遊技場別履歴情報が送信されないので、カードユニット３から前記好成績機種情報送信要求が送信されないことから、前記好成績機種特定処理は、会員遊技者が遊技中の遊技場における遊技成績（勝率）が、、遊技中の遊技場以外に当該会員遊技者が会員となっているその他の遊技場における遊技成績よりも悪いとの判定結果であるときにのみ実施されるようになっている。
【００８８】
また、本実施例の管理サーバ１４０のＣＰＵ１４２は、前記好成績機種特定処理にて特定した機種を特定可能な機種特定情報、具体的には、該特定した好成績機種の機種名と、当該好成績機種における当該会員遊技者の遊技成績である勝率と、該勝率の算出に用いた当該好成績機種における当該会員の遊技履歴情報とを含む本発明における好成績機種情報となる好成績機種データと、受信した好成績機種情報送信要求に含まれる会員ＩＤとを含む好成績機種情報を、前記遊技場別履歴データ要求を送信してきたカードユニット３と同一となる好成績機種情報送信要求を送信してきたカードユニット３に対して送信する好成績機種情報送信処理を実施し、該好成績機種情報送信処理によって本発明における好成績機種情報送信手段が形成されている。
【００８９】
以下、本実施例の遊技場システムにおいて、会員遊技者がカードユニット３に会員カードを挿入することで、該会員遊技者が会員となっている全ての遊技場における各遊技場毎の遊技履歴を把握する流れについて、図１１から図１６に基づいて説明すると、まず、会員遊技者が、カードユニット３の会員カード挿入口３０９に会員カードを挿入すると、カードリーダライタ３２７が、該挿入された会員カードから会員ＩＤ、度数、入金（プリペイド）ＩＤとを読み出して一時記憶するとともに、会員ＩＤ、度数、装置ＩＤ、入金（プリペイド）ＩＤとを含む使用許諾要求を前記システムコントローラ１００へ送信する。
【００９０】
システムコントローラ１００は、使用許諾要求の受信に基づき、受信した会員ＩＤ並びに入金ＩＤとに対応して登録管理されている残存度数の照合や使用不可フラグの登録の有無に基づく認証を実施し、認証がＯＫであれば使用許諾をカードユニット３に返信する使用可否の判定処理を実施する。
【００９１】
前記カードユニット３（カードリーダライタ３２７）が使用許諾を受信した場合には、挿入された会員カードを使用可能とし、前記読み出した会員ＩＤと度数とを制御ユニット３２８に出力することで、制御ユニット３２８は、会員管理コンピュータ１２０に対して会員ＩＤと装置ＩＤとを含む会員カード受付け通知を通信部３３４より送信する。
【００９２】
該会員カード受付け通知の受信に基づいて会員管理コンピュータ１２０は、当該会員カード受付け通知に含まれる新たに受付けた会員カードから読み出した会員ＩＤに対応して前記会員情報テーブルに記憶されている来店ポイントに所定数の来店ポイント（１００ポイント）を１日において１回のみ加算更新するとともに、ユニット管理テーブルにおいて当該カードユニット３の装置ＩＤに対応する「状況」を「受付中」に更新する。そして、受信したカード受付け通知に含まれる会員ＩＤを「受付け会員ＩＤ」の項目に記憶することで、カードユニット３の装置ＩＤから、そのカードユニット３に受付け中の会員カードの会員ＩＤと、対応するパチンコ機２の台番号とを特定できるようにする。尚、当該会員カード受付け通知の受信に基づいて前述のように、遊技履歴の記憶を開始する。
【００９３】
そして、カードユニット３の制御ユニット３２８は、これら会員カード受付け通知を送信した後、前記カードユニット３から出力された度数に相当するカード残額の表示内容を含む図１４（ａ）に示す遊技選択画面を前記表示部３１２に表示して、貯蓄玉を使用して遊技をするか、貯蓄玉を使用せずに度数を使用して遊技をするかの遊技選択受付けを実施する。
【００９４】
該遊技選択受付けにおいて、会員遊技者が「はい」を選択した場合には、制御ユニット３２８は、表示部３１２に、図１４（ｂ）に示すように、暗証番号受付け画面を表示させて暗証番号の受付けを実施するとともに、該受付けた暗証番号と、会員ＩＤと、装置ＩＤとを含む貯玉抽出要求を会員管理コンピュータ１２０に送信する。
【００９５】
この貯玉抽出要求の受信に基づいて会員管理コンピュータ１２０は、貯玉抽出要求に含まれる会員ＩＤに対応して前記会員情報テーブルに記憶されている暗証番号と、貯玉抽出要求に含まれる暗証番号とを照合し、該照合において双方の暗証番号が一致した場合において、該会員カードの使用を許容する認証処理を実施し、貯玉抽出要求に含まれる会員ＩＤに対応して登録されている貯蓄玉数を抽出してカードユニット３の制御ユニット３２８に返信する。
【００９６】
該貯蓄玉数の返信に基づいて制御ユニット３２８は、返信されてきた貯蓄玉数に該当する再プレイ回数を算出し、該算出した再プレイ回数と貯蓄玉数とを表示部３１２に表示する（図１４（ｃ））。
【００９７】
この段階にて前記再プレイボタン３１９を操作すると、再プレイ回数が存在する場合において、カードユニット３が対応するパチンコ機２からパチンコ球の払出（払戻）が実施されることで、遊技者は、一度遊技にて獲得した貯蓄玉数を再度遊技に使用することができる。
【００９８】
このパチンコ球の払出（払戻）が完了した際に制御ユニット３２８は、前記表示部３１２に表示している再プレイ回数から１を減算更新表示するとともに、該１回の再プレイに対応する貯蓄玉数を表示部３１２に表示している貯蓄玉数から減算更新表示する。そして、これら払戻した貯蓄玉数である払戻玉数と、会員ＩＤと、カードユニット３の装置ＩＤとを含む払戻完了情報を会員管理コンピュータ１２０に送信する。
【００９９】
この払戻完了情報の受信に基づいて会員管理コンピュータ１２０は、払戻完了情報に含まれる会員ＩＤに対応して会員情報テーブルに記憶されている貯蓄玉数から、払戻完了情報に含まれる払戻玉数を減算更新する。
【０１００】
尚、これら再プレイ回数と貯蓄玉数とが表示された（図１４（ｃ））の画面上部隅部には、「メニュー」の選択入力部が設けられており、該「メニュー」の選択入力部を選択することで、図１４（ｅ）に示す会員用メニュー画面が表示部３１２に表示される。
【０１０１】
一方、前記遊技選択にて会員遊技者が「いいえ」を選択した場合には、図１４（ｄ）に示すように、会員カードから読み出した認証済みの度数に基づくカード残額が表示部３１２に表示され、この状態において対応するパチンコ機２に設けられている図示しない貸出ボタンを操作することで、所定数の度数に相当するパチンコ球の貸出が、対応するパチンコ機２から実施されることで、遊技者は該貸し出されたパチンコ球を使用して遊技を実施できる。
【０１０２】
そして、該図１４（ｄ）に示すカード残額が表示された画面にも、画面上部隅部に「メニュー」の選択入力部が設けられており、該「メニュー」の選択入力部を選択することで、図１４（ｅ）に示す会員用メニュー画面が表示部３１２に表示される。
【０１０３】
この本実施例の会員用メニュー画面には、カードユニット３が対応するパチンコ機２における台データ（本日、前日、前々日）を表示させるための「台データ」の選択入力部と、当該会員遊技者が、その時点にて所有している来店ポイントを表示させて確認するための「ポイント確認」の選択入力部と、当該会員遊技者が、自身が会員となっている全ての遊技場における各遊技場毎の遊技履歴を表示させて把握するための「遊技場別履歴」の選択入力部が設けられている。
【０１０４】
会員遊技者が、自身の遊技履歴に基づく遊技場別履歴を表示部３１２に表示させて把握したい場合には、図１５（ａ）（図１４（ｅ）と同一）に示す会員用メニュー画面において表示されている「遊技場別履歴」の選択入力部を選択する。
【０１０５】
すると、制御ユニット３２８は、図１１に示すように、遊技場別履歴データ要求の受付け有りと判定して、当該カードユニット３の装置ＩＤと遊技場データの送信を要求する旨とを含む遊技場情報送信要求を会員管理コンピュータ１２０に送信する。
【０１０６】
該遊技場情報送信要求の受信に基づいて会員管理コンピュータ１２０は、ユニット管理テーブルにおいて、当該受信した遊技場情報送信要求に含まれる装置ＩＤに対応付けて受付け会員ＩＤの項目に記憶されている会員ＩＤを特定し、装置ＩＤに代えて該特定した会員ＩＤを含む遊技場情報要求を管理サーバ１４０に対して送信する。
【０１０７】
該遊技場情報要求の受信に基づいて管理サーバ１４０は、前述の他遊技場会員識別情報特定処理を実施する。具体的には、受信した遊技場情報要求に含まれる会員ＩＤに対応する遊技場ＩＤを、前記遊技場情報テーブル（図８（ｂ）参照）の記憶データに基づいて特定し、該特定した遊技場ＩＤと当該会員ＩＤとに対応付けて遊技場別会員情報データベース（図７（ａ）参照）に記憶されている会員属性情報の１つである電子メールアドレスを特定する。
【０１０８】
そして、該特定した会員属性情報の１つである電子メールアドレスと同一の電子メールアドレスを含む会員属性情報が記憶されている会員ＩＤと遊技場ＩＤとを全て特定する。尚、本実施例では、会員ＩＤの他、遊技場ＩＤを遊技場別会員情報データベースから特定しているが、本発明はこれに限定されるものではなく、これら会員属性情報による特定においては会員ＩＤのみを特定し、該特定した会員ＩＤと遊技場情報テーブルにおける各遊技場に該当する対応会員ＩＤのデータとから、当該会員ＩＤに対応する遊技場を特定するようにしても良い。
【０１０９】
更に、管理サーバ１４０は、特定した全ての遊技場ＩＤ並びに受信した遊技場情報要求に含まれる会員ＩＤに対応する遊技場ＩＤに対応付けて遊技場情報テーブルに記憶されている遊技場名を全て特定し、該特定した遊技場名を含む遊技場データを生成し、該生成した遊技場データと、前記にて受信した遊技場情報要求に含まれる会員ＩＤとを含む遊技場情報を、前記遊技場情報要求を送信してきた会員管理コンピュータ１２０に対して送信する。
【０１１０】
そして、会員管理コンピュータ１２０において、該送信された遊技場情報に含まれる会員ＩＤの会員カードを受付け中のカードユニットが、前記ユニット管理テーブルにおいて該会員ＩＤが受付会員ＩＤの項目に記憶されているカードユニット３の装置ＩＤを抽出することにより特定され、該特定されたカードユニット３（制御ユニット３２８）に対して、受信した遊技場情報に含まれる遊技場データが送信される。
【０１１１】
このようにして会員管理コンピュータ１２０を介して管理サーバ１４０から送信されてきた遊技場データは、図１５（ｂ）に示すように、制御ユニット３２８により、当該遊技場データに含まれる当該会員遊技者が会員となっている全ての遊技場の各遊技場名が、会員遊技者が選択可能に表示部３１２に一覧表示されることで、遊技場選択の受付けが実施される。
【０１１２】
そして、図１５（ｂ）に示すように、該遊技場選択受付け画面において会員遊技者が遊技場別遊技履歴の表示対象とする遊技場を選択指定した場合には、当該カードユニット３の装置ＩＤと選択された遊技場名と遊技場別履歴データの送信を要求する旨とを含む遊技場別履歴データ送信要求がカードユニット３から会員管理コンピュータ１２０に送信される。
【０１１３】
この遊技場別履歴データ送信要求の受信に基づいて会員管理コンピュータ１２０は、ユニット管理テーブルにおいて、当該受信した遊技場別履歴データ送信要求に含まれる装置ＩＤに対応付けて受付け会員ＩＤの項目並びに対応台番号の項目に記憶されている会員ＩＤと台番号とを特定し、受信した装置ＩＤを該特定した会員ＩＤと台番号に代えることで、該特定した会員ＩＤと台番号と遊技場名と遊技場別履歴データの送信を要求する旨とを含む遊技場別履歴データ要求を管理サーバ１４０に対して送信する。
【０１１４】
該遊技場別履歴データ要求の受信に基づいて管理サーバ１４０は、前述の機種特定処理を実施し、該受信した遊技場別履歴データ要求に含まれる会員ＩＤから特定される遊技場ＩＤと遊技場別履歴データ要求に含まれる台番号とに対応付けて前記遊技場別台情報テーブル（図８（ａ）参照）に記憶されている機種名から、当該台番号のパチンコ機２の機種、つまりは、会員遊技者が遊技中のパチンコ機２の機種を特定した後、図１２に示すＡに移行する。
【０１１５】
このようにして会員遊技者が遊技中のパチンコ機２の機種を特定した後、管理サーバ１４０は、前記遊技場情報要求の受信に基づいて前記他遊技場会員識別情報特定処理にて特定した全ての遊技場ＩＤと会員ＩＤ、並びに受信した遊技場別履歴データ要求に含まれる会員ＩＤと該会員ＩＤから特定される遊技場ＩＤとに対応付けて遊技場別遊技履歴情報テーブルに記憶されている遊技履歴情報を全て抽出する前述の遊技履歴抽出処理を実施する。
【０１１６】
そして、該遊技履歴抽出処理にて抽出した遊技履歴情報の内、同一の遊技場ＩＤ並びに同一の機種名を含む遊技履歴情報に基づいて、遊技場別の各機種毎の遊技成績、具体的には、遊技回数となる該遊技履歴情報の数に対する「勝」を含む遊技履歴情報の数の割合である勝率を算出することで、各遊技場別の各機種毎の勝率を全て算出する（遊技成績算出処理）。
【０１１７】
該遊技成績である各遊技場別の各機種毎の勝率を算出した後、受信した遊技場別履歴データ要求に含まれる会員ＩＤから特定した遊技場ＩＤに対応する会員遊技者が遊技中の遊技場の前記機種特定処理にて特定した当該会員遊技者が遊技中の機種の勝率（遊技成績）と、前記にて算出した勝率（遊技成績）の内、当該会員遊技者が遊技中の遊技場以外に当該会員遊技者が会員となっているその他の遊技場（複数存在する場合には全て）における当該会員遊技者が遊技中の機種と同じ機種の勝率（遊技成績）とを比較して、会員遊技者が遊技中の遊技場における勝率（遊技成績）が良いか否かを判定する。
【０１１８】
そして、管理サーバ１４０は、前記遊技履歴抽出処理にて抽出した遊技履歴情報の内、前記機種特定処理にて特定した会員遊技者が遊技中のパチンコ機２の機種の遊技履歴情報を更に全て抽出するとともに、該抽出した遊技履歴情報の内、受信した遊技場別履歴データ要求に含まれる遊技場名を含む遊技履歴情報を全て特定して抽出することで、会員遊技者が指定した遊技場における会員遊技者が遊技中のパチンコ機２の機種の遊技履歴情報を全て抽出した後、該抽出した遊技履歴情報に含まれる遊技頻度となる遊技時間の合計値が、前記遊技頻度閾値設定画面（図１７）にて設定された閾値条件である遊技時間（本実施例では２時間）を満たしているか否かを判定する。
【０１１９】
この判定において、遊技時間の合計値が閾値条件としての遊技時間である２時間を満たしている場合には、図１３に示すＢに進む一方、遊技時間の合計値が閾値条件としての遊技時間である２時間を満たしていない場合に管理サーバ１４０は、受信した遊技場別履歴データ要求に含まれる台番号に対応付けて遊技場別台情報テーブルに記憶されている会員遊技者が遊技中のパチンコ機２のメーカ名と種別（具体的にはＣＲ機、１種、２種等）とが同一である同類の機種を全て特定する。そして、前記遊技履歴抽出処理にて抽出した遊技履歴情報の内、受信した遊技場別履歴データ要求に含まれる遊技場名を含むとともに、該特定した同類の機種の機種名を含む遊技履歴情報を各機種毎に抽出して各機種毎の遊技時間の合計値を算出し、該算出した遊技時間の合計値が閾値条件である遊技時間（本実施例では２時間）を満たしている同類の機種を代用機種として特定し、該特定した代用機種における受信した遊技場別履歴データに含まれる遊技場名を含む遊技履歴情報を全て特定して抽出した後、図１３に示すＢに進む。
【０１２０】
この本実施例における代用機種を特定する具体的な流れとしては、例えば会員遊技者が遊技中のパチンコ機２の機種名が機種名ａであって、当該会員遊技者が遊技場ｄを指定した場合において、該遊技場ｄでの機種名ａにおける当該会員遊技者の遊技時間の合計値が閾値条件である２時間に満たない場合には、該機種名ａのメーカーと種別である「Ａ社」と「ＣＲ」と同一の「Ａ社」と「ＣＲ」とが記憶されている機種名ｂ…等の同類の機種が特定され、該特定された機種名ｂ…等の各機種の遊技場ｄにおける当該会員遊技者の遊技時間の合計値を算出し、該算出した遊技時間の合計値が閾値条件である２時間を満たしている同類の機種、例えば機種ｂを代用機種として特定する。尚、この際、複数の同類の機種が閾値条件である２時間を満たす場合には、会員遊技者が遊技中のパチンコ機２の機種名である機種名ａの大当り確率に最も近い同類の機種、例えば機種ｂを代用機種として特定し、該代用機種として特定した機種ｂの遊技場ｄにおける遊技履歴情報を全て特定して抽出する。
【０１２１】
そして、図１３に示すＢに進み、前記にて抽出された会員遊技者が指定した遊技場における会員遊技者が遊技中のパチンコ機２の機種の遊技履歴情報、または、前記代用機種の遊技履歴情報に基づいて、指定された遊技場における該会員遊技者の遊技中の機種または代用機種での遊技場別履歴データを生成する。
【０１２２】
具体的に、生成される遊技場別履歴データとしては、前記抽出した遊技履歴情報に基づいて、総遊技回数、総始動回数、総大当り回数、総確変回数、平均大当り確率、平均確変確率、収支合計が算出されて遊技場別履歴データとされる。
【０１２３】
そして、管理サーバ１４０は、前述した遊技成績である勝率の判定結果が否、つまりは当該会員遊技者が遊技中の遊技場における遊技中のパチンコ機２の機種の勝率が、他の遊技場における同じ機種の勝率よりも悪い場合においては、カードユニット３の表示部３１２に表示される遊技場別履歴データ表示画面に「好成績機種」の選択入力部の表示を指示する旨の好成績機種表示指示と、前記にて受信した遊技場別履歴データ要求に含まれる会員ＩＤと、生成した遊技場別履歴データを含む遊技場別履歴情報を、遊技場別履歴データ要求を送信してきた会員管理コンピュータ１２０に送信し、前述した遊技成績である勝率の判定結果が良である場合においては、前記好成績機種表示指示を含まない遊技場別履歴情報を、遊技場別履歴データ要求を送信してきた会員管理コンピュータ１２０に送信する。尚、この遊技場別履歴情報の送信に際して、送信される遊技場別履歴情報に含まれる遊技場別履歴データが代用機種の遊技履歴情報に基づくものである場合には、代用機種名を含む代用情報を遊技場別履歴情報に付加して送信する。
【０１２４】
この遊技場別履歴情報の送信に基づいて会員管理コンピュータ１２０においては、受信した遊技場別履歴情報に含まれる会員ＩＤの会員カードを受付け中のカードユニット３が、前記ユニット管理テーブルにおいて該会員ＩＤが受付け会員ＩＤの項目に記憶されているカードユニット３の装置ＩＤを抽出することにより特定され、該特定されたカードユニット３（制御ユニット３２８）に対して、受信した遊技場別履歴情報に含まれる遊技場別履歴データが送信される。尚、該受信した遊技場別履歴情報に代用情報が付加されていれば、該付加されている代用情報も遊技場別履歴データとともに送信される。
【０１２５】
このようにして会員管理コンピュータ１２０を介して管理サーバ１４０から送信されてきた遊技場別履歴データは、制御ユニット３２８により図１５（ｃ）または図１５（ｄ）に示すように、管理サーバ１４０にて生成された各遊技場別履歴データである、総遊技回数や、総始動回数や、総大当り回数や、総確変回数や、平均大当り確率や、平均確変確率や、収支合計を含む遊技場別履歴データ表示画面が表示部３１２に表示されることで、会員遊技者は、自分が指定した遊技場における自身の遊技履歴に基づく自身が遊技中のパチンコ機２の機種と同一機種或いは代用機種における遊技場別遊技履歴を簡便に確認することができる。
【０１２６】
この遊技場別履歴データ表示画面の表示に際して制御ユニット３２８は、受信した遊技場別履歴データに好成績機種表示指示が含まれている場合には、図１５（ｃ）に示すように、「好成績機種」の選択入力部を有する遊技場別履歴データ表示画面を表示し、受信した遊技場別履歴データに好成績機種表示指示が含まれていない場合には、図１５（ｄ）に示すように、「好成績機種」の選択入力部を有しない遊技場別履歴データ表示画面を表示する。尚、制御ユニット３２８は、遊技場別履歴データとともに代用情報を受信した場合には、図１５（ｄ）に示すように、当該カードユニット３が対応するパチンコ機２の機種である例えば機種ａの指定された遊技場における遊技頻度が少ないので、代用情報に含まれる代用機種名である、例えば機種名ｂのデータが代用された旨のメッセージを遊技場別履歴データ表示画面に表示して、表示された遊技履歴が代用機種のものであることを会員遊技者に報知する。
【０１２７】
そして、前記した「好成績機種」の選択入力部を有する遊技場別履歴データ表示画面において、会員遊技者が「好成績機種」の選択入力部を選択した場合には、該「好成績機種」の選択入力に基づいてカードユニット３から会員管理コンピュータ１２０に対して、当該カードユニット３の装置ＩＤと、当該遊技場において当該会員遊技者が会員となっている他の遊技場よりも好成績をおさめている好成績機種の情報である好成績機種データを要求する旨とを含む好成績機種情報送信要求が送信される。
【０１２８】
この好成績機種情報送信要求の受信に基づいて会員管理コンピュータ１２０は、ユニット管理テーブルにおいて、当該受信した好成績機種情報送信要求に含まれる装置ＩＤに対応付けて受付け会員ＩＤの項目並びに対応台番号の項目に記憶されている会員ＩＤと台番号とを特定し、受信した装置ＩＤを該特定した会員ＩＤと台番号に代えることで、該特定した会員ＩＤと台番号と、好成績機種データを要求する旨とを含む好成績機種情報要求を管理サーバ１４０に対して送信する。
【０１２９】
該好成績機種情報要求の受信に基づいて管理サーバ１４０は、受信した好成績機種情報要求に含まれる会員ＩＤが該当する遊技場情報テーブルの対応会員ＩＤから遊技場ＩＤを特定し、前記にて算出した遊技場別の各機種毎の遊技成績である勝率の内、該特定した遊技場ＩＤが対応する当該会員遊技者が遊技中の遊技場での、受信した好成績機種情報要求に含まれる台番号に基づいて特定される機種以外の各機種の遊技成績、つまりは、当該会員遊技者が遊技中の遊技場における、当該会員遊技者が遊技中のパチンコ機２の機種以外の各機種の勝率と、該会員遊技者が遊技中の遊技場以外に当該会員遊技者が会員となっているその他の遊技場における遊技成績である勝率とを特定し、該特定した勝率を同じ機種同士の当該会員遊技者が遊技中の遊技場における勝率と、該遊技中の遊技場以外に当該会員遊技者が会員となっているその他の遊技場における勝率とを比較して、各機種毎に順位付けを行って会員遊技者が遊技中の遊技場における各機種の勝率が該当する順位を特定し、該特定した順位が最も高い機種を好成績の機種として特定する。
【０１３０】
そして、該特定した好成績の機種（好成績機種）の機種名と、当該好成績機種での遊技成績である勝率と、該勝率の算出に用いた遊技履歴情報となる、前記遊技場別遊技履歴情報テーブルから抽出された該好成績機種の機種名と、受信した好成績機種情報要求に含まれる会員ＩＤ並びに該会員ＩＤから特定した遊技場ＩＤとを含む全ての遊技履歴情報から所定の項目の遊技履歴の総計や平均が算出されて生成された好成績機種遊技履歴とを含む好成績機種データを生成し、会員ＩＤとともに好成績機種情報として、好成績機種情報要求を送信してきた会員管理コンピュータ１２０に対して送信する。
【０１３１】
具体的に、生成される好成績機種遊技履歴としては、該好成績の機種における全遊技履歴情報に含まれる総大当り回数の合算値である総大当り回数や、該総大当り回数を始動回数の総合計にて除した値である平均大当り確率や、収支の総合計である収支合計が算出される。
【０１３２】
この好成績機種情報を受信した会員管理コンピュータ１２０は、ユニット管理テーブルにおいて、当該受信した好成績機種情報に含まれる会員ＩＤの会員カードを受付け中のカードユニット３が、前記ユニット管理テーブルにおいて該会員ＩＤが受付け会員ＩＤの項目に記憶されているカードユニット３の装置ＩＤを抽出することにより特定され、該特定されたカードユニット３（制御ユニット３２８）に対して、受信した好成績機種情報に含まれる好成績機種データが送信される。
【０１３３】
このようにして会員管理コンピュータ１２０を介して管理サーバ１４０から送信されてきた好成績機種データは、制御ユニット３２８により図１６（ｂ）にに示すように、受信した好成績機種データに含まれる好成績の機種の機種名と、当該好成績の機種における当該会員遊技者の遊技成績である勝率と、該好成績の機種における当該会員遊技者の遊技履歴である総大当り回数や、平均大当り確率や、収支合計が表示されることで、会員遊技者は、自身が好成績をおさめている当該遊技場における他機種の機種名と、当該機種における成績や履歴を簡便に把握できるようになっている。
【０１３４】
以上、前記実施例によれば、前記遊技場別遊技履歴テーブルに各会員遊技者が各遊技場において遊技した遊技履歴情報が各遊技場における会員ＩＤに対応付けて記憶、管理され、これら記憶されている遊技履歴情報から、前記機種特定情報となる装置ＩＤから特定される当該会員遊技者の会員カードを受付け中の遊カードユニット３が対応するパチンコ機２、つまりは、自身が遊技を実施しているパチンコ機２の機種と同一の機種における遊技履歴情報が各遊技場別（本実施例では会員遊技者に指定された遊技場別）に抽出され、該抽出された各遊技場別の遊技履歴情報となる遊技場別履歴データがカードユニット３に送信されて表示されるようになるため、会員遊技者は、遊技を行いながら自身が会員となっている全ての遊技場の、自身が遊技を実施しているパチンコ機２の機種における自身の遊技履歴を、各遊技場別に個別に簡便に把握することができ、遊技者の利便性を向上できる。
【０１３５】
また、前記実施例によれば、会員遊技者により選択された遊技場、例えば遊技場ｄにおける自身が遊技を実施しているパチンコ機２の機種の遊技履歴のみを表示することから、その他の選択されない遊技場における同一機種の遊技履歴を抽出したり、抽出した遊技履歴を送信する等の処理を省くことができ、処理負荷を低減できる。
【０１３６】
また、前記実施例によれば、会員遊技者が遊技中の遊技場における、自身が遊技中のパチンコ機２の機種の遊技履歴に基づく遊技成績（勝率）よりも好成績な機種が、カードユニット３にて表示されるようになるため、会員遊技者は、機種選びを行うための指標にこれら好成績の機種の情報を活用することができるばかりか、例えば、遊技中の当該遊技場における遊技中のパチンコ機２の機種の遊技成績（勝率）が、他の遊技場よりも悪いとしても、遊技成績の良い機種を報知することにより、当該報知した遊技成績の良い機種での遊技意欲を高めることが可能となるので、当該遊技場における客離れを極力防止することができる。
【０１３７】
また、前記実施例によれば、会員遊技者が遊技中の遊技場における遊技中のパチンコ機２の機種の遊技成績（勝率）が、他の遊技場よりも悪いときに、漏れなく前記好成績機種情報表示指示を含む遊技場別履歴データがカードユニット３に送信されて好成績機種の表示選択の受付けが実施されることで、会員遊技者は、漏れなくこれら好成績の機種の情報をカードユニット３に表示できるようになるため、当該遊技場における客離れをより一層防止することができる。尚、本実施例では、会員遊技者から「好成績機種」の選択入力による好成績機種の表示選択の受付けを実施するようにしているが、本発明はこれに限定されるものではなく、これらの受付けを実施することなく、一義的に好成績の機種の情報を、前記遊技場別履歴データ表示画面に表示して、会員遊技者に報知するようにしても良い。
【０１３８】
また、前記実施例によれば、遊技頻度である遊技時間が閾値条件よりも少ないときには、遊技中のパチンコ機２の機種と同様の属性であるメーカ名と種別とを有し、且つ閾値条件を満たす代用機種における当該会員遊技者の遊技場別履歴がカードユニット３にて表示されるので、他の遊技場において遊技中のパチンコ機２の機種における遊技頻度である遊技時間が少ない場合であっても、遊技中の遊技場における遊技履歴と比較するための該他遊技場における遊技履歴を簡便に入手することができ、会員遊技者の利便性を向上できる。
【０１３９】
また、前記実施例によれば、遊技場内管理装置となる会員管理コンピュータ１２０にて入力された会員属性情報と会員識別情報である会員ＩＤとが対応付けて、前記遊技場外管理装置である管理サーバ１４０に対して送信されることで、前記会員属性情報記憶手段である遊技場別会員情報データベースに記憶されるようになり、遊技場外管理装置である管理サーバ１４０において、これら会員属性情報と会員ＩＤとを入力する手間を省くことができる。
【０１４０】
また、前記実施例によれば、遊技場内管理装置である会員管理コンピュータ１２０から更新遊技履歴情報送信要求となる会員遊技関連情報送信要求を送信した後、会員識別情報である会員ＩＤと、新たな遊技履歴データや貯蓄玉数等を含む会員遊技関連情報を送信することで、遊技場外管理装置である管理サーバ１４０側において場外遊技履歴情報記憶手段である遊技場別会員遊技履歴テーブルにおける遊技履歴の更新が実施されるようになるため、遊技場或いは遊技場に設置された遊技場内管理装置である会員管理コンピュータ１２０側の都合に合わせて遊技履歴の更新を実施できるようになる。
【０１４１】
以上、本発明の実施例を図面により説明してきたが、具体的な構成はこれら実施例に限られるものではなく、本発明の要旨を逸脱しない範囲における変更や追加があっても本発明に含まれる。
【０１４２】
例えば、前記実施例では、前述の遊技場別履歴データ要求の受信に基づいてＣＰＵ１４２が実施する他遊技場会員識別情報特定処理において、該遊技場別履歴データ要求に含まれる会員識別情報特定情報である会員ＩＤから特定される会員ＩＤに対応付けて前記会員属性情報記憶手段となる遊技場別会員情報データベースに記憶されている会員属性情報である電子メールアドレスを特定し、遊技場別履歴データ要求に含まれる会員識別情報特定情報から特定される会員ＩＤ以外の会員ＩＤに対応付けて遊技場別会員情報データベースに記憶されている会員属性情報の内、該特定した電子メールアドレスと同一の電子メールアドレスを含む会員属性情報を特定し、該特定した会員属性情報に対応付けて該遊技場別会員情報データベースに記憶されている他の遊技場の会員ＩＤを全て特定するようにしているが、本発明はこれに限定されるものではなく、これら他遊技場会員識別情報特定処理において前述した同一の電子メールアドレスを含む会員属性情報が記憶されている遊技場等の特定に要する処理負荷が、遊技場の数や会員の数が多くなった場合において大きくなり、特定に要する時間が大きくなってしまう場合が考えられることから、例えば、図１８に示すように、予め各会員遊技者の会員属性情報である電子メールアドレスに対応付けて、当該会員遊技者が会員となっている遊技場の遊技場ＩＤが記憶（登録）される登録遊技場特定テーブルを設けて、前述の同一の電子メールアドレスを含む会員属性情報が記憶されている遊技場の特定、つまりは遊技場の絞り込みに要する処理負荷を低減できるようにしても良いし、更には、図１９に示すように、予め各会員遊技者の会員属性情報である電子メールアドレスに対応付けて、当該会員遊技者が会員となっている遊技場の遊技場ＩＤに対応する項目には、当該遊技場における当該会員遊技者の会員ＩＤが記憶され、当該会員遊技者が会員ではない遊技場の遊技場ＩＤに対応する項目には「−」が記憶（登録）される会員ＩＤテーブルを設けて、各電子メールアドレスに対応する会員遊技者がどの遊技場において会員となっているか、並びに会員となっている各遊技場における会員ＩＤとを、同一の電子メールアドレスの登録に基づく当該会員遊技者が会員となっている全ての遊技場並びにその遊技場における当該会員遊技者の会員ＩＤの特定を、遊技場別会員情報データベースの記憶データ全てを検索することなく、簡便に実施できるようにしても良い。
【０１４３】
また、前記実施例では、カードユニット３が送信する遊技場情報送信要求や遊技場別履歴データ送信要求に含まれる会員識別情報特定情報として、装置ＩＤを用い、当該装置ＩＤから受付け中の会員カードの会員ＩＤを会員管理コンピュータ１２０が特定して当該装置ＩＤを会員ＩＤに変更するようにしているが、本発明はこれに限定されるものではなく、これら装置ＩＤに代えて、カードユニット３が送信する遊技場別履歴データ送信要求に含まれる会員識別情報特定情報を、会員ＩＤ自体としても良い。
【０１４４】
また、前記実施例では、遊技場別履歴データ送信要求に含まれる会員識別情報特定情報と機種特定情報とを装置ＩＤが兼ねるようにしているが、本発明はこれに限定されるものではなく、これら会員識別情報特定情報と機種特定情報とを個別のもの、例えは、会員識別情報特定情報を前述のように会員ＩＤとし、機種特定情報を対応するパチンコ機２の機種名や台番号としても良い。
【０１４５】
また、前記実施例では、遊技場別履歴データの内容を、前述のように、総遊技回数や、総始動回数や、総大当り回数や、総確変回数や、平均大当り確率や、平均確変確率や、収支合計としているが、本発明はこれに限定されるものではなく、これらの内容は適宜に選択すれば良い。
【０１４６】
また、前記実施例では、会員管理コンピュータ１２０が、カードユニット３から送信される各種の要求を管理サーバ１４０に中継する要求中継処理を実施するとともに、管理サーバから送信される会員ＩＤを含む各種の情報をカードユニット３に中継するようにしているが、本発明はこれに限定されるものではなく、これらカードユニット３が前述のルータ５を通じて、直接管理サーバ１４０とデータの送受を実施するようにしても良い。
【０１４７】
また、前記実施例では、遊技場別履歴の選択操作に基づく各種履歴情報の表示に際して、何らの認証を実施していないが、本発明はこれに限定されるものではなく、これらの各種履歴情報の表示に際して、前述の貯蓄玉数の使用において実施している暗証番号による認証等を実施するようにしても良い。
【０１４８】
また、前記実施例では、遊技場外管理装置となる管理サーバ１４０をカード管理会社に設置した例を示したが、本発明はこれに限定されるものではなく、これら遊技場外管理装置をその他の機関に設置するようにしても良い。
【０１４９】
また、前記実施例では、遊技場情報テーブルに、各遊技場において使用されている会員ＩＤの範囲が対象会員ＩＤの項目に記憶されていることで、管理サーバ１４０が受信する前述の各種要求に含まれる会員ＩＤから、その会員ＩＤがどの遊技場のものであるかを特定できるようにしているが、本発明はこれに限定されるものではなく、これら会員ＩＤ中、例えばその先頭部分に遊技場ＩＤを含むような会員ＩＤとして、当該会員ＩＤから遊技場を特定できるようにしても良いし、或いは、会員ＩＤとともに当該会員ＩＤが記録された会員カードの発行を受けた遊技場の遊技場ＩＤを各種要求中に含めるようにしても良い。
【０１５０】
また、前記実施例では、会員登録を各遊技場に設置された会員管理コンピュータ１２０において実施するようにしているが、本発明はこれに限定されるものではなく、これらの各遊技場の会員登録を、インターネットを経由してサイト等により会員遊技者から受付けて実施したり、各遊技場からの会員ＩＤや会員属性情報が記載された登録用紙の送付を受けて、管理サーバ１４０においてこれらの会員登録の処理を実施するようにしても良く、これら会員管理コンピュータ１２０以外において会員登録を実施した場合においては、会員カードを郵送等により会員遊技者に発行するようにしても良い。
【０１５１】
また、前記実施例では、前述の各種要求に含まれる会員ＩＤの会員遊技者の、該会員遊技者が遊技中の遊技場以外に当該会員遊技者が会員となっているその他の遊技場での会員識別情報である会員ＩＤを特定するための会員属性情報として、当該会員遊技者の電子メールアドレスのみを使用するようにしているが、本発明はこれに限定されるものではなく、これら電子メールアドレスに加えて、氏名や性別や年齢や郵便番号等の各会員属性情報を１つ或いは複数用いるようにしても良く、これら他の遊技場を特定するために用いる電子メールアドレス以外の会員属性情報は適宜に選択すれば良い。また、電子メールアドレスに加えて複数の会員属性情報を、該会員遊技者が遊技中の遊技場以外のその他の遊技場において会員登録している遊技場での会員ＩＤを特定するための会員属性情報として用いた場合は、当該用いた全ての会員属性情報が合致しなくとも、電子メールアドレスに加えて用いた複数の会員属性情報の内、１つ或いは２つが合致していれば、会員遊技者が会員登録している遊技場における会員ＩＤとして特定するようにしても良い。
【０１５２】
また、前記実施例では、カードユニット３からの遊技場別履歴データ送信要求を、会員メニュー画面における「遊技場別履歴」の操作に基づいて会員管理コンピュータ１２０に送信するようにしているが、本発明はこれに限定されるものではなく、これらの「遊技場別履歴」の操作なしに、例えば会員カードが挿入されることにより、自動的に遊技場別履歴データ送信要求を送信して、会員となっている全ての遊技場での、遊技中の機種と同一機種における遊技履歴データを入手して、各遊技場別に表示するようにしても良い。
【０１５３】
また、本実施例では、会員遊技者が遊技中の遊技場以外に当該会員遊技者が会員となっている全ての遊技場を管理サーバ１４０にて特定し、該特定した当該会員遊技者が会員となっている全遊技場の一覧をカードユニット３にて選択可能に表示して遊技場の指定を会員遊技者から受付けるようにしているが、本発明はこれに限定されるものではなく、これら遊技場の指定を受付けることなく、当該会員遊技者が会員となっている全ての遊技場別の遊技中の機種と同一機種における遊技場別履歴を、順次カードユニット３の表示部３１２に表示するようにしても良く、この場合においては、前記実施例において遊技場情報要求の受信に基づいて管理サーバ１４０が実施している他遊技場会員識別情報特定処理を、前記遊技場別履歴データ要求の受信に基づいて実施するようにすれば良い。
【０１５４】
また、本実施例では、代用機種を特定するためのパチンコ機２の属性情報として、メーカー名と種別とを用いているが、本発明はこれに限定されるものではなく、これらの代用機種の特定に用いる属性情報の内容や一致数等の条件は、適宜に選択すれば良い。
【０１５５】
また、本実施例では、遊技成績を勝率としているが、本発明はこれに限定されるものではなく、これら遊技成績を収支としても良く、これら遊技成績の内容は適宜に選択すれば良い。
【０１５６】
また、本実施例では、遊技頻度の内容を遊技時間としているが、本発明はこれに限定されるものではなく、図１７に示す遊技頻度閾値設定画面おける遊技頻度の内容として、遊技回数等を設定することで、該遊技回数を遊技頻度の内容として用いるようにしても良い。
【０１５７】
また、本実施例では、前述のように、遊技成績である勝率が、会員遊技者が遊技中の遊技場以外に当該会員遊技者が会員となっているその他の遊技場における勝率よりも高い好成績機の機種名等を含む前記好成績機種データをカードユニット３に送信して、これら好成績機種の機種名を表示して会員遊技者に報知するようにしているが、本発明はこれに限定されるものではなく、これらの好成績機種を特定して会員遊技者に報知することを実施しない構成としても良い。
【０１５８】
また、本実施例では、前記好成績機種の会員遊技者への報知を、該会員遊技者が遊技中の遊技機の機種における当該遊技場での遊技成績である勝率が、会員遊技者が遊技中の遊技場以外に当該会員遊技者が会員となっているその他の遊技場における当該機種における勝率よりも低いことを条件に実施するようにしているが、本発明はこれに限定されるものではなく、これらの好成績機種の会員遊技者への報知を、当該会員遊技者が遊技中の遊技機の機種における当該遊技場での遊技成績である勝率が、会員遊技者が遊技中の遊技場以外に当該会員遊技者が会員となっているその他の遊技場における当該機種における勝率との高低に拘わらず、実施するようにしても良い。
【０１５９】
前記実施例における各要素は、本発明に対して以下のように対応している。
本発明の請求項１は、遊技場内に設置された遊技機（パチンコ機２）に対応して設けられ、当該遊技場のみで使用され、各会員遊技者を個々に識別可能な会員識別情報（会員ＩＤ）が記録された会員用記録媒体（会員カード）を受付けて当該会員用記録媒体に記録されている会員識別情報を（カードリーダライタ３２７）と、該読み出し手段にて読み出した前記会員識別情報と、前記対応する遊技機の機種を特定可能な機種特定情報（装置ＩＤ）と、該会員識別情報が記録されている会員用記録媒体を受付けている間の当該遊技機において遊技に関連して発生した遊技関連情報（台データ）とを送信するための送信手段（制御ユニット３２８；遊技関連情報送信処理、通信部３３４）と、前記読み出し手段により前記受付け中の会員用記録媒体から読み出した会員識別情報を特定可能な会員識別情報特定情報（装置ＩＤ）と、前記機種特定情報（装置ＩＤ）とを含む遊技履歴情報送信要求（遊技別履歴データ送信要求）を送信する送信要求送信手段（制御ユニット３２８；遊技別履歴データ送信要求送信処理、通信部３３４）と、を備える遊技用装置（カードユニット３）と、遊技場内に設置され、前記送信手段から送信される前記会員識別情報に対応付けて、該会員識別情報とともに送信される前記機種特定情報から特定される機種を特定可能な情報（台番号、機種名）並びに前記遊技関連情報（台データ）を含む遊技履歴情報を記憶するための遊技履歴情報記憶手段（記憶装置１２５；会員別遊技履歴テーブル）と、該遊技履歴情報記憶手段に記憶されている遊技履歴情報を、該遊技履歴情報に対応付けて記憶されている前記会員識別情報とともに送信する遊技履歴情報送信手段（ＣＰＵ１２２；会員遊技関連情報送信処理、通信部１２９）と、を備える遊技場内管理装置（会員管理コンピュータ１２０）と、遊技場外に設置され、複数の各遊技場に設置された前記遊技場内管理装置とデータ通信可能に接続され、前記遊技履歴情報送信手段から送信される前記会員識別情報並びに前記遊技履歴情報とを対応付けて記憶するための場外遊技履歴情報記憶手段（記憶装置１４５；遊技場別会員遊技履歴テーブル）と、各遊技場における各会員遊技者の会員属性情報と、当該会員遊技者の前記会員識別情報とを対応付けて記憶するための会員属性情報記憶手段（記憶装置１４５；遊技場別会員情報データベース）と、前記送信要求送信手段から送信される遊技履歴情報送信要求に含まれる機種特定情報（装置ＩＤに基づく台番号）から遊技機の機種を特定する機種特定手段（ＣＰＵ１４２；機種特定処理）と、前記送信要求送信手段から送信される遊技履歴情報送信要求に含まれる会員識別情報特定情報から特定される会員識別情報に対応付けて前記会員属性情報記憶手段に記憶されている会員属性情報を特定し、前記遊技履歴情報送信要求に含まれる会員識別情報特定情報から特定される会員識別情報以外の会員識別情報の内、該特定した会員属性情報と同一の会員属性情報を含む会員属性情報を特定し、該特定した会員属性情報に対応付けて該会員属性情報記憶手段に記憶されている会員識別情報を全て特定する他遊技場会員識別情報特定手段（ＣＰＵ１４２；他遊技場会員識別情報特定処理）と、前記送信要求送信手段から送信される遊技履歴情報送信要求に含まれる会員識別情報特定情報から特定される会員識別情報並びに前記他遊技場会員識別情報特定手段にて特定された全ての会員識別情報に対応付けて前記場外遊技履歴情報記憶手段に記憶されている遊技履歴情報の内、前記機種特定手段にて特定された機種を特定可能な情報（機種名）を含む遊技履歴情報を、各遊技場別に抽出する同一機種遊技履歴抽出手段（ＣＰＵ１４２；同一機種遊技履歴抽出処理）と、該同一機種遊技履歴抽出手段にて各遊技場別に抽出された遊技履歴情報を、前記遊技履歴情報送信要求を送信してきた遊技用装置に対して送信するための遊技場別遊技履歴情報送信手段（ＣＰＵ１４２；遊技場別履歴情報送信処理、ＤＳＵ１４８）と、を備える遊技場外管理装置（管理サーバ１４０）と、を有し、前記遊技用装置は、前記遊技場別遊技履歴情報送信手段から送信される遊技場別遊技履歴情報（遊技場別履歴データ）を、該遊技用装置が対応する遊技機の機種と同一機種における当該会員遊技者の会員となっている各遊技場における遊技場別遊技履歴情報として表示する遊技場別遊技履歴情報表示手段（制御ユニット３２８；遊技場別履歴データ表示処理、表示部３１２）を備える。
【０１６０】
本発明の請求項２は、前記遊技場外管理装置（管理サーバ１４０）は、前記遊技履歴情報送信要求（遊技場情報要求）の受信に基づいて前記他遊技場会員識別情報特定手段（ＣＰＵ１４２；他遊技場会員識別情報特定処理）にて特定された会員識別情報（会員ＩＤ）に対応する遊技場を特定可能な遊技場特定情報（遊技場情報）を、該遊技履歴情報送信要求を送信してきた遊技用装置（カードユニット３）に対して送信するための遊技場特定情報送信手段（ＣＰＵ１４２；遊技場情報送信処理、ＤＳＵ１４８）を備え、前記遊技用装置は、前記遊技場特定情報送信手段から送信される遊技場特定情報（遊技場データ）から特定される全ての遊技場を会員遊技者が選択可能に表示して、該会員遊技者が前記遊技場別遊技履歴情報を表示させたい遊技場の指定を受付ける遊技場指定受付け手段と、該遊技場指定受付け手段にて受付けた遊技場の遊技場特定情報を含む指定遊技場情報（遊技場別履歴データ送信要求）を前記遊技場外管理装置に送信するための指定遊技場情報送信手段（制御ユニット３２８；遊技場指定受付け処理）と、を備え、前記同一機種遊技履歴抽出手段（ＣＰＵ１４２；同一機種遊技履歴抽出処理）は、前記指定遊技場情報送信手段から送信された指定遊技場情報に含まれる遊技場特定情報（遊技場名）から特定される遊技場における前記他遊技場会員識別情報特定手段にて特定された会員識別情報に対応付けて前記場外遊技履歴情報記憶手段に記憶されている遊技履歴情報の内、前記機種特定手段にて特定された機種を特定可能な情報を含む遊技履歴情報を抽出する。
【０１６１】
本発明の請求項３は、前記遊技場外管理装置（管理サーバ１４０）は、前記遊技履歴情報送信要求（遊技場別履歴データ送信要求）に含まれる会員識別情報特定情報（装置ＩＤ）から特定される会員識別情報（会員ＩＤ）並びに該遊技履歴情報送信要求の受信に基づいて前記他遊技場会員識別情報特定手段にて特定された全ての会員識別情報に対応付けて前記場外遊技履歴情報記憶手段（記憶装置１４５；遊技場別会員遊技履歴テーブル）に記憶されている遊技履歴情報を抽出する遊技履歴抽出手段（ＣＰＵ１４２；遊技履歴抽出処理）と、該遊技履歴抽出手段にて抽出された遊技履歴情報に基づいて、前記遊技履歴情報送信要求を送信した遊技用装置（カードユニット３）を備える当該会員遊技者が遊技中の遊技場を含む各遊技場における各機種毎の当該会員遊技者の遊技成績（勝率）を算出する遊技成績算出手段（ＣＰＵ１４２；遊技成績算出処理）と、該遊技成績算出手段にて算出された同じ機種に関する遊技成績の内、当該会員遊技者が遊技中の遊技場における遊技成績と、その他の遊技場における遊技成績との比較に基づいて、該会員遊技者が遊技中の遊技場における遊技成績がその他の遊技場における遊技成績よりも良い機種を特定する好成績機種特定手段（ＣＰＵ１４２；好成績機種特定処理）と、該好成績機種特定手段にて特定された機種を特定可能な機種特定情報（好成績機種の機種名）を含む好成績機種情報を、前記遊技履歴情報送信要求を送信してきた遊技用装置に対して送信するための好成績機種情報送信手段（ＣＰＵ１４２；好成績機種情報送信処理、ＤＳＵ１４８）と、を備え、前記遊技用装置は、前記好成績機種情報送信手段から送信される好成績機種情報に含まれる機種特定情報から特定される機種（機種名）を、好成績の機種として表示する好成績機種表示手段（制御ユニット３２８；好成績機種情報表示処理、表示部３１２）を備える。
【０１６２】
本発明の請求項４は、前記遊技場外管理装置（管理サーバ１４０）は、前記遊技成績算出手段（ＣＰＵ１４２；遊技成績算出処理）により算出された各遊技場における各機種毎の遊技成績（勝率）の内、該会員遊技者が遊技中の遊技場における前記機種特定手段（ＣＰＵ１４２；機種特定処理）により特定された機種の遊技成績と、その他の遊技場における前記機種特定手段により特定された機種の遊技成績とを比較して、該会員遊技者が遊技中の遊技場における遊技成績がその他の遊技場における遊技成績よりも良いか否かを判定する判定手段（ＣＰＵ１４２；判定処理）を備え、前記好成績機種特定手段（ＣＰＵ１４２；好成績機種特定処理）は、前記判定手段における判定結果が、該会員遊技者が遊技中の遊技場における遊技成績がその他の遊技場における遊技成績よりも悪いとの判定結果であることを条件に、該会員遊技者が遊技中の遊技場における遊技成績がその他の遊技場における遊技成績よりも良い機種を特定する。
【０１６３】
本発明の請求項５は、前記遊技履歴情報記憶手段（記憶装置１４５；遊技場別会員遊技履歴テーブル）に記憶されている遊技履歴情報は、前記会員遊技者が遊技した遊技機の機種における遊技頻度を特定可能な情報（遊技時間）を含み、前記遊技場外管理装置（管理サーバ１４０）は、各機種を特定可能な情報（台番号、機種名）と当該機種の属性情報（メーカー名、種別、確率）とを対応付けて記憶するための機種属性情報記憶手段（記憶装置１４５；遊技場別台情報テーブル）と、前記機種特定手段（ＣＰＵ１４２；機種特定処理）にて特定された機種の遊技履歴情報に代えて、他機種の遊技履歴情報を代用する遊技頻度に関する閾値条件を設定するための設定手段（ＣＰＵ１４２；遊技頻度閾値設定処理）と、前記遊技履歴情報送信要求（遊技場別履歴データ送信要求）に含まれる会員識別情報特定情報（装置ＩＤ）から特定される会員識別情報（会員ＩＤ）と、該遊技履歴情報送信要求の受信に基づいて前記他遊技場会員識別情報特定手段（ＣＰＵ１４２；他遊技場会員識別情報特定処理）にて特定された会員識別情報、並びに前記遊技履歴情報記憶手段（記憶装置１４５；遊技場別会員遊技履歴テーブル）に記憶されている遊技履歴情報とに基づいて、前記機種特定手段にて特定された機種における、各遊技場毎の遊技頻度（遊技時間）を特定する遊技頻度特定手段（ＣＰＵ１４２；遊技頻度特定処理）と、該遊技頻度特定手段にて特定された各遊技場毎の遊技頻度が、前記設定手段にて設定された閾値条件に満たないときに、前記機種特定手段にて特定された当該機種に対応付けて前記機種属性情報記憶手段に記憶されている属性情報に含まれる情報と同一の情報を含む属性情報に対応付けて記憶されている他機種の内、当該遊技場における遊技頻度が前記閾値条件を満たす機種を特定する代用機種特定手段（ＣＰＵ１４２；代用機種特定処理）と、を備え、前記同一機種遊技履歴抽出手段（ＣＰＵ１４２；同一機種遊技履歴抽出処理）は、前記機種特定手段にて特定された機種の遊技履歴情報に代えて、前記代用機種特定手段にて特定された機種を特定可能な情報を含む遊技履歴情報を抽出する。
【０１６４】
本発明の請求項６は、前記遊技場内管理装置（会員管理コンピュータ１２０）は、各会員遊技者の会員属性情報を入力するための会員属性情報入力手段（入力装置１２６、会員登録画面）と、該会員属性情報入力手段から入力された該会員属性情報と当該会員遊技者の会員識別情報（会員ＩＤ）とを対応付けて前記遊技場外管理装置（管理サーバ１４０）に送信する会員属性情報送信手段（ＣＰＵ１２２；会員登録情報送信処理、通信部１２９）とを備え、前記遊技場外管理装置は、前記会員属性情報送信手段から送信された会員識別情報と前記会員属性情報とを対応付けて前記会員属性情報記憶手段（記憶装置１４５；遊技場別会員情報データベース）に記憶する。
【０１６５】
本発明の請求項７は、前記遊技場外管理装置（管理サーバ１４０）は、前記遊技履歴情報送信手段（ＣＰＵ１２２；会員遊技関連情報送信処理、通信部１２９）から新たな遊技履歴情報（会員遊技関連情報）を送信する旨の更新遊技履歴情報送信要求（会員遊技関連情報送信要求）を受信するための更新送信要求受信手段（ＣＰＵ１４２；会員遊技関連情報送信要求受信処理）を備え、該更新送信要求受信手段にて前記更新遊技履歴情報送信要求の受信後において前記遊技履歴情報送信手段から送信される遊技履歴情報（遊技履歴データ）と会員識別情報（会員ＩＤ）とに基づいて、該受信した会員識別情報に対応付けて前記場外遊技履歴情報記憶手段（記憶装置１４５；遊技場別会員遊技履歴テーブル）に記憶されている遊技履歴情報を更新する。
【図面の簡単な説明】
【０１６６】
【図１】本発明の実施例における遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例に用いた会員管理コンピュータの構成を示す図である。
【図５】（ａ）は、本発明の実施例に用いた会員情報テーブルを示す図であり、（ｂ）は、本発明の実施例に用いた会員別遊技履歴テーブルを示す図であり、図（ｃ）は、ユニット管理テーブルを示す図である。
【図６】本発明の実施例に用いた管理サーバの構成を示す図である。
【図７】（ａ）は、本発明の実施例に用いた遊技場別会員情報データベースを示す図であり、（ｂ）は、本発明の実施例に用いた遊技場別会員遊技履歴テーブルを示す図である。
【図８】（ａ）は、本発明の実施例の遊技場別台情報テーブルを示す図であり、（ｂ）は、本発明の実施例に用いた遊技場情報テーブルを示す図である。
【図９】本発明の実施例に用いた会員管理コンピュータにおける会員登録画面を示す図である。
【図１０】本発明の実施例の遊技用システムを構成する会員管理コンピュータと管理サーバとの処理状況を示す図である。
【図１１】本発明の実施例の遊技用システムを構成するカードユニットと会員管理コンピュータと管理サーバとの処理状況を示す図である。
【図１２】本発明の実施例の遊技用システムを構成する管理サーバにおける処理状況を示す図である。
【図１３】本発明の実施例の遊技用システムを構成するカードユニットと会員管理コンピュータと管理サーバとの処理状況を示す図である。
【図１４】（ａ）〜（ｅ）は、本発明の実施例のカードユニットの表示部に表示される表示内容を示す図である。
【図１５】（ａ）〜（ｄ）は、本発明の実施例のカードユニットの表示部に表示される表示内容を示す図である。
【図１６】（ａ）、（ｂ）は、本発明の実施例のカードユニットの表示部に表示される表示内容を示す図である。
【図１７】本発明の実施例における管理サーバにおいて表示される遊技頻度閾値設定画面を示す図である。
【図１８】その他の形態としての登録遊技場特定テーブルを示す図である。
【図１９】その他の形態としての会員ＩＤテーブルを示す図である。
【符号の説明】
【０１６７】
２        パチンコ機
３        カードユニット
４        中継端末
５        ルータ
４０      玉計数器
１００    システムコントローラ
１２０    会員管理コンピュータ
１２２    ＣＰＵ
１２５    記憶装置
１２６    入力装置
１２９    通信部
１４０    管理サーバ
１４２    ＣＰＵ
１４５    記憶装置
１４８    ＤＳＵ
【図１】
2005253695.tif 000003
【図２】
2005253695.tif 000004
【図３】
2005253695.tif 000005
【図４】
2005253695.tif 000006
【図５】
2005253695.tif 000007
【図６】
2005253695.tif 000008
【図７】
2005253695.tif 000009
【図８】
2005253695.tif 000010
【図９】
2005253695.tif 000011
【図１０】
2005253695.tif 000012
【図１１】
2005253695.tif 000013
【図１２】
2005253695.tif 000014
【図１３】
2005253695.tif 000015
【図１４】
2005253695.tif 000016
【図１５】
2005253695.tif 000017
【図１６】
2005253695.tif 000018
【図１７】
2005253695.tif 000019
【図１８】
2005253695.tif 000020
【図１９】
2005253695.tif 000021